(57)【要約】  送達システムは、単回用量の薬剤（例えば、ワクチン、薬物、薬など）を成形同時充填（ＢＦＳ）バイアルから患者に送達することを可能にするように構成された送達アセンブリを含み得る。送達アセンブリは、一般に、互いに協働的に配置および結合された別個に構築された構成要素からなるモジュール設計を含み得る。薬剤は、送達アセンブリの第１のモジュール（例えば、ＢＦＳバイアル）内に配置された流体剤、希釈剤、または担体流体と、送達アセンブリの第２のモジュール内に配置された有効成分とを含むことができ、それにより、２つの成分が使用時に組み合わされるかまたは導入され、それにより、患者に投与される薬剤が生成される。【選択図】  図２Ｍ
2021527535.tif 000002
【特許請求の範囲】
【請求項１】
薬剤の送達のための送達システムであって、前記送達システムは、
単回用量の流体剤を含有する成形同時充填（ＢＦＳ）バイアルと、
前記ＢＦＳバイアルにしっかりと連結され、前記流体剤の前記単回用量を送達するように構成された送達アセンブリ、とを含み、前記送達システムは、
入口ポートを画定する近位端と、出口ポートを画定する遠位端と、前記入口ポートから前記出口ポートへの流体経路を提供するチャネルとを有するハブ部材であって、前記入口ポートは、前記ＢＦＳバイアルの対応する接続継手を受け入れて保持するように構成された接続継手を有し、前記入口ポートは、前記ＢＦＳバイアルから前記流体剤を受け入れるように構成されている、ハブ部材と、
前記ハブ部材の前記流体経路内に配置された有効成分であって、前記入口ポートから方向付けられた前記流体剤を受け入れ、前記流体剤と相互作用して患者への送達のための薬剤を生成するように動作可能である、有効成分と、
前記チャネルの前記流体経路内に配置された一方向バルブであって、前記入口ポートから前記出口ポートに向かう順行方向への流体の流れを制限するように構成された一方向バルブと、
前記チャネルの前記流体経路内に配置され、前記ハブ部材の前記出口ポートに隣接するインサート部材であって、前記インサート部材は前記流体経路と整列するチャネルを有し、
前記薬剤を前記患者に投与するための投与部材と、
を含む送達システム。
【請求項２】
前記ＢＦＳバイアルが、加えられた圧縮力に応答して、前記流体剤を前記流体経路内に、前記インサート部材の前記チャネルを通して、前記投与部材内に放出するように構成された内容積を有する、請求項１に記載の送達システム。
【請求項３】
前記ＢＦＳバイアルが、前記流体剤を前記ハブ部材の前記流体経路内に放出し、前記流体剤と前記有効成分との間の相互作用を引き起こし、結果として生じる薬剤を、それに加えられる圧縮力に応答して、前記インサート部材の前記チャネルを通して前記投与部材内に放出するように構成された内容積を有する、請求項１に記載の送達システム。
【請求項４】
前記送達システムが、前記ハブ部材内に配置された基材をさらに備え、前記基材が前記有効成分を保持する、請求項１に記載の送達システム。
【請求項５】
前記有効成分が前記基材に接着している、請求項４に記載の送達システム。
【請求項６】
前記基材が螺旋形状を含む、請求項４に記載の送達システム。
【請求項７】
前記有効成分が固体を含む、請求項１に記載の送達システム。
【請求項８】
前記有効成分が、前記ハブ部材の前記流体経路の内面に付着される、請求項４に記載の送達システム。
【請求項９】
前記有効成分が、前記流体経路に沿って螺旋パターンで付着される、請求項８に記載の送達システム。
【請求項１０】
前記投与部材が、前記患者への前記薬剤の皮下、筋肉内、皮内、および静脈内注射のうちの少なくとも１つのための針を含む、請求項１に記載の送達システム。
【請求項１１】
前記針が、０．５ｍｍ〜４ｍｍの範囲の長さを有する微小針である、請求項１０に記載の送達システム。
【請求項１２】
前記針が、４ｍｍ〜１５ｍｍの範囲の長さを有する、請求項１０に記載の送達システム。
【請求項１３】
前記針が、１５ｍｍ〜３０ｍｍの範囲の長さを有する、請求項１０に記載の送達システム。
【請求項１４】
前記投与部材が、前記患者への前記薬剤の投与を制御するように構成されたノズルを備える、請求項１に記載の送達システム。
【請求項１５】
前記ノズルが、前記薬剤のスプレーへの分散を促進するように構成される、請求項１４に記載の送達システム。
【請求項１６】
前記ノズルが、前記薬剤の１つ以上の液滴への分散を促進するように構成される、請求項１４に記載の送達システム。
【請求項１７】
前記ハブ部材および前記ＢＦＳバイアルの前記接続継手が非標準接続継手である、請求項１に記載の送達システム。
【請求項１８】
前記ハブ部材および前記ＢＦＳバイアルの前記接続継手は、非ルアー型接続である、請求項１７に記載の送達システム。
【請求項１９】
前記ハブ部材の前記接続継手が、前記入口ポートの一部に画定された凹部、凹み部、および開口のうちの少なくとも１つを備える、請求項１８に記載の送達システム。
【請求項２０】
前記ＢＦＳバイアルの前記接続継手は、前記ＢＦＳバイアルの遠位端に隣接する前記ＢＦＳバイアルの少なくともネック部分上に画定され、前記ＢＦＳバイアルの前記遠位端が前記ハブ部材の前記入口ポートの中に挿入されると、前記ハブ部材の前記凹部、凹み部、および開口のうちの少なくとも１つの中に受け入れおよび保持されるように構成される、突出部および突起のうちの少なくとも１つを備える、請求項１９に記載の送達システム。
【請求項２１】
前記凹部、前記凹み部、または前記開口は、前記突出部または前記突起の対応する形状を受け入れるような形状およびサイズである、請求項２０に記載の送達システム。
【請求項２２】
前記突出部または前記突起は、前記突出部または前記突起が前記凹部、前記凹み部、または前記開口部内に受け入れられ、かつそれらと係合すると、前記ハブ部材の前記入口ポートからの前記ＢＦＳバイアルの前記遠位端の引き抜きを防止するように成形およびサイズ決定される、請求項２１に記載の送達システム。
【請求項２３】
前記ＢＦＳバイアルの内部容積が０．０５ｍｌ〜１５．０ｍｌの範囲である、請求項１に記載の送達システム。
【請求項２４】
前記ＢＦＳバイアルが、パックで提供され、共通のマニホールドで形成された複数のＢＦＳバイアルのうちの１つである、請求項１に記載の送達システム。
【請求項２５】
前記複数のＢＦＳバイアルのそれぞれが、引き離し接続を介して前記共通マニホールドに結合される、請求項２４に記載の送達システム。
【請求項２６】
前記ＢＦＳバイアルは、前記流体剤を記述するデータを記憶する電子デバイスを備える、請求項１に記載の送達システム。
【請求項２７】
前記電子デバイスは、近距離通信（ＮＦＣ）デバイスを含む、請求項２６に記載の送達システム。
【請求項２８】
前記ＮＦＣデバイスは、前記ＢＦＳバイアルの前記地理的移動を定義するデータの処理を容易にするように動作可能である、請求項２７に記載の送達システム。
【請求項２９】
前記ＮＦＣデバイスは、前記ＢＦＳバイアルが特定の受信者への投与について許可されていることの検証を可能にするデータの処理を容易にするように動作可能である、請求項２７に記載の送達システム。
【請求項３０】
前記ＮＦＣデバイスは、前記ＢＦＳバイアルが、前記ハブ部材内に配置された前記有効成分と組み合わせて、特定の受信者への投与について許可されていることの検証を可能にするデータの処理を容易にするように動作可能である、請求項２７に記載の送達システム。
【請求項３１】
前記ハブ部材が、前記有効成分を記述したデータを記憶する電子デバイスを備える、請求項１に記載の送達システム。
【請求項３２】
前記電子デバイスは、近距離通信（ＮＦＣ）デバイスを含む、請求項３１に記載の送達システム。
【請求項３３】
前記ＮＦＣデバイスは、前記ハブ部材の前記地理的移動を定義するデータの処理を容易にするように動作可能である、請求項３２に記載の送達システム。
【請求項３４】
前記ＮＦＣデバイスは、前記ハブ部材が特定の受信者への管理を許可されていることの検証を可能にするデータの処理を容易にするように動作可能である、請求項３２に記載の送達システム。
【請求項３５】
前記ＮＦＣデバイスは、前記ハブ部材が前記ＢＦＳバイアル内に配置された前記流体剤と組み合わせて特定のレシピエントに投与することを許可されていることの検証を可能にするデータの処理を容易にするように動作可能である、請求項３２に記載の送達システム。
【発明の詳細な説明】
【技術分野】
【０００１】
関連出願の相互参照
本出願は、（ｉ）２０１８年６月２０日に出願された、名称「デュアルチャンバーＢＦＳ薬物送達システム」の米国仮特許出願第６２／６８７３４０号の非仮出願と、（ｉｉ）２０１８年１０月２４日に出願された、名称「流体送達のためのシステムと方法」の米国特許出願第１６／１６９９８３号の一部継続（ＣｉＰ：Ｃｏｎｔｉｎｕａｔｉｏｎ−ｉｎ−Ｐａｒｔ）出願の優先権を主張するものであり、これらの先の出願の全体が参照により本明細書に組み込まれる。
【０００２】
発明の分野
本発明の実施形態は、一般に、薬などの物質を送達するための送達デバイスに関し、より詳細には、単回投与の治療剤を成形同時充填（ＢＦＳ：Ｂｌｏｗ−Ｆｉｌｌ−Ｓｅａｌ）バイアルから患者に送達することを可能にするように構成されたモジュール式送達アセンブリを含む、送達システムに関する。
【背景技術】
【０００３】
毎年、数百万人の人々が様々な疾患に感染して死亡するが、その中にはワクチンで予防できるものある。ワクチン接種により、いくつかの感染性の症例数が劇的に減少したが、これらの疾患のいくつかは、依然としてかなり一般的である。多くの場合、世界の大規模な人口、特に発展途上国では、不十分な実施、入手可能なワクチンの欠如、またはワクチンを投与するための不適切なデバイス、またはそれらの組合せのいずれかのために、無効な免疫化プログラムに起因するワクチンで予防可能な疾患の蔓延に苦しんでいる。
【０００４】
免疫化プログラムのいくつかの実施は、一般に、典型的な再使用可能なシリンジによるワクチンの投与を含む。しかしながら、多くの状況において、特に発展途上国において、ワクチンの投与は、病院の外で行われ、シリンジへのアクセスを注意深く制御することなく注射が患者に行われるように、専門家ではない人によって提供される場合がある。このような状況下で再使用可能なシリンジを使用すると、特に、以前に使用され、もはや無菌ではなくなったシリンジを使用して後続の注射を行う場合に、血液感染症の感染と蔓延のリスクが高まる。例えば、世界保健機関（ＷＨＯ：Ｗｏｒｌｄ  Ｈｅａｌｔｈ  Ｏｒｇａｎｉｚａｔｉｏｎ）は、肝炎およびヒト免疫不全ウイルス（ＨＩＶ：ｈｕｍａｎ  ｉｍｍｕｎｏｄｅｆｉｃｉｅｎｃｙ  ｖｉｒｕｓ）などの血液感染症が、そのようなシリンジの再使用により伝染し、毎年百万人を超える人々が死亡していると推定している。
【発明の概要】
【０００５】
本発明の実施形態は、現在の送達デバイスおよび方法の欠点を克服する送達システムを提供する。特に、いくつかの実施形態による送達システムは、薬、ワクチンおよび／または治療薬、回復剤、予防剤および／または治療剤（本明細書では集合的に「薬剤」または「薬剤群」）などの物質を送達するためのモジュール式送達アセンブリを含み、より具体的には、モジュール式二成分注入型送達システムを含む。二成分注入型送達システムは、例えば、以下の２つの物質の形態で最初に保管および輸送される薬剤の単回投与の患者への送達／注入を可能にするように構成することができる。（ｉ）脱水された形態、凍結乾燥された形態、低温乾燥された形態、乾燥された形態または粉末の形態で、送達システムの第１の成分（本明細書では、送達アセンブリまたはハブ構成要素と呼ばれる）中に最初に保管および輸送される活性物質、および（ｉｉ）送達システムの第２の成分（例えば、プラスチックの成形同時充填（ＢＦＳ）バイアル）中に最初に保管および輸送される不活性物質（例えば、生理食塩水などの希釈剤）。活性物質は、第２の不活性物質と混合または組み合わされることによって（例えば、ハブ構成要素がＢＦＳバイアルに取り付けられるかまたは接続され、２つの物質が混合される場合）、患者への注入の直前に液体または流体形態に最終的に再構成されてもよい。
【０００６】
いくつかの実施形態では、モジュール式送達アセンブリは、ＢＦＳバイアルを含むがこれに限定されない、流体剤を含む供給源に結合されるように構成されてもよい。送達アセンブリは、協働して配置され、互いに連結された、別個に構築されたモジュール式構成要素からなるモジュール設計を含んでもよい。送達アセンブリの構成要素は、例えば、ＢＦＳバイアルにしっかりと結合されるように構成されたハブ部材と、ハブ部材内に位置付けられ、流体の流れを順行方向に制限するように構成された一方向バルブ部材と、ハブ部材内に位置付けられ、ＢＦＳバイアルから流体剤を受け入れ、流体剤を患者に投与するための投与部材を受け入れて保持するように構成されたインサートとを含んでもよい。投与部材は、例えば、針（流体剤の皮下、筋肉内、皮内、または静脈内注射用）またはノズル（例えば、流体剤のスプレーへの分散を促進するためのスプレーノズルまたは液滴の形成のための液滴ノズル）を含んでもよい。
【０００７】
いくつかの実施形態では、ハブ部材は、入口ポートを画定する近位端と、出口ポートを画定する遠位端と、近位端から遠位端まで完全に延在するチャネルとを含んでもよく、これによって、入口ポートと出口ポートとの間に流体経路を提供することができる。入口ポートは、ＢＦＳバイアルの対応する特殊非標準接続継手と結合されるように構成された特殊非標準（非ルアー型接続）接続継手を含んでもよい。例えば、入口ポートは、ＢＦＳバイアル上の対応する形状および／またはサイズの突出部、突起部などを受け入れるような形状および／またはサイズである特定の形状または幾何学的形状の凹部、凹み部、または完全な開口部を含んでもよい。いくつかの実施形態では、入口ポートは、ハブ部材の両側に２つの対向する開口を含んでもよい。ＢＦＳバイアルは、一般に、少なくとも単回投与の流体剤を中に含有するのに十分な内部容積を有する可撓性本体を含んでもよい。ＢＦＳバイアルは、概して、本体から延在し、バイアル本体の圧搾時に流体剤を分注するための出口を画定する遠位端で終端する、ネックを含んでもよい。いくつかの実施形態では、バイアルは、遠位端に隣接するネックの両側に画定され、ハブ部材上の開口部に略対応する形状を有する２つの突出部を含んでもよい。ユーザがバイアルの遠位端をハブ部材の入口ポートに挿入すると、例えば、突出部は、対応する開口部と摺動係合するように成形されてもよいが、ハブ部材からのＢＦＳバイアルの引き抜きを防止するようにさらに成形されてもよい。これによって、開口部内でそれら自体を効果的に係止でき、ＢＦＳバイアルを効果的に送達アセンブリと係合できる。バイアルをハブ部材に固定することによって、ユーザは、バイアル本体に力を加える（即ち、圧搾する）だけで、流体剤がバイアルから送達アセンブリを通って患者に流れるようにすることができる。
【０００８】
いくつかの実施形態におけるハブ部材とＢＦＳバイアルとの間の特殊な非標準接続継手は、対応する薬剤を有する承認された供給源（例えば、単回投与ＢＦＳバイアル）のみが、本明細書に記載されるモジュール式送達アセンブリとともに使用されることを可能にし、それによって、セキュリティのレベルを高めることができる。例えば、送達方法は、一般に、送達される流体剤のタイプに依存している。例えば、いくつかの薬は静脈内に最もよく送達されるが、いくつかのワクチンは皮内に最もよく送達され、さらに、いくつかの流体剤は液滴またはスプレーを介して投与される。したがって、送達アセンブリは、特定の流体剤の送達のために構成されてもよく、即ち、ハブ部材上の接続継手は、その特定の流体剤を含有するＢＦＳバイアルの対応する接続継手のみを受け入れて係合するように設計されてもよい。したがって、本明細書に記載される特殊接続継手設計は、合致するＢＦＳバイアル（その特定の送達アセンブリのための正しい流体剤を含有する）のみが、モジュール式送達アセンブリに接続できることを保証してもよく、それによって、安全性を確保し、リスクを低減することができる。
【０００９】
いくつかの実施形態によれば、送達アセンブリは、ハブ部材内に一方向バルブおよび／またはインサートを含んでもよい。一方向バルブは、例えば、ハブ部材のチャネル内に位置付けられてもよく、および／または入口ポートから出口ポートに向かう順行方向への流体の流れを制限するように構成されてもよく、それによって、バイアル本体が送達のために圧搾されるとき、流体が単一方向に流れることを確実にする。インサートは、いくつかの実施形態では、ハブ部材の出口に隣接するチャネル内に配置されてもよい。インサートは、近位端と、反対側の遠位端と、近位端から遠位端までインサート全体を通って延びるチャネルとを含んでもよい。インサートのチャネルは、流体経路がハブ部材の入口ポートから、一方向バルブを通り、インサートのチャネルを通ってインサートの遠位端に向かって全体に延在するように、ハブ部材のチャネルと同軸整列していてもよい。投与部材（例えば、針、ノズル等）は、ＢＦＳバイアルから送達アセンブリの流体経路を通して流体剤が送達されると、流体剤が投与部材から流出し、それによって、患者への流体剤の送達を可能にするように、インサートのチャネル内に受容および保持されてもよい。
【００１０】
いくつかの実施形態では、送達アセンブリは、投与部材を覆って汚染を防止し、針刺し損傷のリスクをさらに低減し、したがって血液感染症が広がる可能性を低減するための安全カバーを含んでもよい。送達アセンブリは、概して、針またはノズルを覆って提供される安全カバーを含めて、完全に組み立てられた状態で包装され、送達されてもよい。したがって、ユーザは、ＢＦＳバイアルを送達アセンブリに最初に取り付けるときに、露出した針またはノズルを取り扱う必要がない。むしろ、ユーザは、ＢＦＳバイアルが送達アセンブリにしっかりと取り付けられ、それによって流体剤送達のために針またはノズルを露出させると、安全カバーを取り外すだけでよい。次いで、ユーザは、送達が完了すると、カバーを交換してもよい。
【００１１】
送達アセンブリのモジュール式構造により、最小限のコストで１つまたは複数の構成要素の迅速な製造再構成が可能になり、特定のニーズ（即ち、皮下、筋肉内、皮内、静脈内注射、スプレー、または液滴送達などの、送達される薬剤に応じた異なる送達モード）を満たす新しい送達アセンブリ構成を作成することができる。例えば、ハブ部材および一方向バルブは、同じ構造（寸法および材料）のままであってもよく、一方、インサートは、送達のタイプおよび／または送達される流体剤のタイプに応じて、異なる針サイズおよび／またはノズルタイプを考慮するように変更されてもよい。
【００１２】
送達アセンブリ自体は、事前に充填されなくてもよい。そのため、送達アセンブリは、輸送または保管中に特定の温度（例えば、摂氏２〜８度（２℃〜８℃））に維持される必要がなく、したがって、全体的なコストを削減することができる。現在のデバイスの場合のように、送達アセンブリを一定温度に維持するのではなく、流体剤を含有する供給源（例えば、ＢＦＳバイアル内に提供される単回投与供給）のみを、一定温度に維持する必要がある。したがって、複数の空の送達アセンブリを、低コストで出荷および保管し、次いで、現場で直接、必要に応じて充填さしてもよく、その結果、単回投与ＢＦＳバイアルのみを保管および維持する必要がある。さらに、送達デバイスが事前に充填されていない場合、送達デバイスを、流体剤で充填される前の任意の時点で滅菌してもよく、これによって、このようなデバイスの大量出荷および保管がさらに改善される。いくつかの実施形態では、送達アセンブリは、固体形態の有効成分が注入された、またはそうでなければ固体形態の有効成分を担持する基材を含んでもよく、これはまた、または代替的に、あまり厳格でない保管または輸送要件が必要となる場合がある。
【００１３】
いくつかの実施形態によれば、送達アセンブリは、薬剤を投与するための特別な訓練を必要とせずに、比較的単純な方法で患者への薬剤の送達を可能にするように構成されてもよい。特に、送達アセンブリは、流体剤を投与する人（例えば、管理者）（これはまた、自己投与を含み得る）が、投与部位（例えば、肩、腕、胸、鼻、耳、目など）上にデバイスを配置することのみを必要とし、次いで、流体剤の投与量を含むＢＦＳバイアル本体を完全に圧縮し、それによって、正確な所定の投与量を患者に送達するように設計してもよい。送達アセンブリはまた、または代替として、針が必要とされる場合（即ち、送達方法が注射であるため）、針貫通が投与部位内の正しい長さおよび配向に限定されるように構成されてもよい。例えば、いくつかの実施形態では、針は、針が略垂直な角度で患者の皮膚に挿入されるように構成され、インサートの遠位端が患者の皮膚に接触して流体剤の注射のための適切な貫通深さを示すように構成されるように、インサートの遠位端が位置する平面に対して略垂直に位置付けられてもよい。したがって、本明細書に記載されるモジュール式送達アセンブリの実施形態は、ワクチンまたは薬物の投与のために、訓練を受けた熟練した医療専門家を必要としない場合がある。したがって、送達アセンブリは、ワクチンまたは薬物が非医療関連施設（例えば、診療所または病院の外）で投与され、非専門家によって短期間にわたって多数の個人に与えられる状況において特に有用である可能性がある。
【００１４】
図面は、例示のみを目的として実施形態を示す。当業者は、以下の説明から、本明細書で説明される原理から逸脱することなく、本明細書で示されるシステムおよび方法の代替実施形態が使用され得ることを容易に認識するであろう。
【図面の簡単な説明】
【００１５】
【図１Ａ】いくつかの実施形態によるＢＦＳバイアルパッケージの斜視図である。
【図１Ｂ】いくつかの実施形態によるＢＦＳバイアルパッケージの部分拡大斜視図である。
【図２Ａ】いくつかの実施形態による流体送達システムの右側面図である。
【図２Ｂ】いくつかの実施形態による流体送達システムの右側面図である。
【図２Ｃ】いくつかの実施形態による流体送達システムの部分右側面図である。
【図２Ｄ】いくつかの実施形態による流体送達システムの部分右側面図である。
【図２Ｅ】いくつかの実施形態による流体送達システムのハブアセンブリの分解右側面図である。
【図２Ｆ】いくつかの実施形態による流体送達システムの一部の右側斜視部分断面図である。
【図２Ｇ】いくつかの実施形態による流体送達システムのハブアセンブリの右側斜視組立断面図である。
【図２Ｈ】いくつかの実施形態による流体送達システムのハブアセンブリの右側斜視断面図である。
【図２Ｉ】いくつかの実施形態による流体送達システムのハブアセンブリの右後方斜視断面図である。
【図２Ｊ】いくつかの実施形態による流体送達システムの一部の右側斜視部分断面図である。
【図２Ｋ】いくつかの実施形態による流体送達システムの一部の右側部分断面図である。
【図２Ｌ】いくつかの実施形態による流体送達システムの一部の右前方斜視部分断面図である。
【図２Ｍ】いくつかの実施形態による流体送達システムの一部の右側部分断面図である。
【図２Ｎ】いくつかの実施形態による流体送達システムで使用するための様々な基材の上面図および側面図である。
【図３Ａ】いくつかの実施形態によるモジュール式ハブの右前斜視図である。
【図３Ｂ】いくつかの実施形態によるモジュール式ハブの上面図である。
【図３Ｃ】いくつかの実施形態によるモジュール式ハブの底面図である。
【図３Ｄ】いくつかの実施形態によるモジュール式ハブの左側面図である。
【図３Ｅ】いくつかの実施形態によるモジュール式ハブの右側面図である。
【図３Ｆ】いくつかの実施形態によるモジュール式ハブの正面図である。
【図３Ｇ】いくつかの実施形態によるモジュール式ハブの背面図である。
【図３Ｈ】いくつかの実施形態によるモジュール式ハブの前断面図である。
【図４Ａ】いくつかの実施形態によるモジュラーバルブの右前斜視図である。
【図４Ｂ】いくつかの実施形態によるモジュラーバルブの上面図である。
【図４Ｃ】いくつかの実施形態によるモジュラーバルブの底面図である。
【図４Ｄ】いくつかの実施形態によるモジュラーバルブの左側面図である。
【図４Ｅ】いくつかの実施形態によるモジュラーバルブの右側面図である。
【図４Ｆ】いくつかの実施形態によるモジュラーバルブの正面図である。
【図４Ｇ】いくつかの実施形態によるモジュラーバルブの背面図である。
【図４Ｈ】いくつかの実施形態によるモジュラーバルブの前断面図である。
【図５Ａ】いくつかの実施形態によるモジュール式インサートの右前斜視図である。
【図５Ｂ】いくつかの実施形態によるモジュール式インサートの上面図である。
【図５Ｃ】いくつかの実施形態によるモジュール式インサートの底面図である。
【図５Ｄ】いくつかの実施形態によるモジュール式インサートの左側面図である。
【図５Ｅ】いくつかの実施形態によるモジュール式インサートの右側面面図である。
【図５Ｆ】いくつかの実施形態によるモジュール式インサートの正面図である。
【図５Ｇ】いくつかの実施形態によるモジュール式インサートの背面図である。
【図５Ｈ】いくつかの実施形態によるモジュール式インサートの前断面図である。
【図６Ａ】いくつかの実施形態によるモジュール式ＢＦＳバイアルの右前方斜視図である。
【図６Ｂ】いくつかの実施形態によるモジュール式ＢＦＳバイアルの上面図である。
【図６Ｃ】いくつかの実施形態によるモジュール式ＢＦＳバイアルの底面図である。
【図６Ｄ】いくつかの実施形態によるモジュール式ＢＦＳバイアルの左側面図である。
【図６Ｅ】いくつかの実施形態によるモジュール式ＢＦＳバイアルの右側面図である。
【図６Ｆ】いくつかの実施形態によるモジュール式ＢＦＳバイアルの正面図である。
【図６Ｇ】いくつかの実施形態によるモジュール式ＢＦＳバイアルの図である。
【図７Ａ】いくつかの実施形態によるモジュール式ＢＦＳバイアルの右前方斜視図である。
【図７Ｂ】いくつかの実施形態によるモジュール式ＢＦＳバイアルの上面図である。
【図７Ｃ】いくつかの実施形態によるモジュール式ＢＦＳバイアルの底面図である。
【図７Ｄ】いくつかの実施形態によるモジュール式ＢＦＳバイアルの左側面図である。
【図７Ｅ】いくつかの実施形態によるモジュール式ＢＦＳバイアルの右側面図である。
【図７Ｆ】いくつかの実施形態によるモジュール式ＢＦＳバイアルの正面図である。
【図７Ｇ】いくつかの実施形態によるモジュール式ＢＦＳバイアルの図である。
【図８】いくつかの実施形態に係る方法の斜視フロー図である。
【図９】いくつかの実施形態によるフロー図である。
【図１０】いくつかの実施形態によるハブアセンブリの変形例の斜視図である。
【発明を実施するための形態】
【００１６】
Ｉ．序論
本発明の実施形態は、現在の送達デバイスおよび方法の欠点を克服するモジュール式薬剤送達システムを提供する。例えば、いくつかの実施形態の送達システムは、流体剤（例えば、ワクチン、薬物、薬、希釈剤など）を含有する供給源に結合されるように構成されたモジュール式薬剤送達アセンブリを含み、供給源から患者への流体剤の単回投与の送達をさらに容易にする。送達アセンブリは、滅菌されたままであり、充填プロセス中の汚染の可能性を防止しながら、現場で単回投与の流体剤で充填されるように構成することができる。送達アセンブリはまた、または代替的に、制御された様式で、そのような流体剤の送達を投与する際に専門的な技術を必要とすることなく、流体剤を送達することができる。
【００１７】
いくつかの実施形態によれば、モジュール式薬剤送達システムは、以下の２つの物質の形態で最初に保管および輸送される薬剤の単回投与の患者への送達／注入を可能にするように構成することができる。（ｉ）脱水された、凍結乾燥された、低温乾燥された、乾燥された、または粉末の形態で、送達システムの第１の構成要素（本明細書では送達アセンブリまたはハブ構成要素と呼ばれる）に最初に保管および輸送される活性物質、および（ｉｉ）送達システムの第２の構成要素（例えば、ＢＦＳバイアル）に最初に保管および輸送される不活性物質（例えば、生理食塩水溶液などの希釈剤）。活性物質は、第２の不活性物質と混合または組み合わされることによって（例えば、ハブ構成要素がＢＦＳバイアルに取り付けられるかまたは接続され、２つの物質が混合される場合）、患者への注入の直前に液体または流体の形態に最終的に再構成することができる。
【００１８】
本明細書に記載されるように、モジュール式薬剤送達システムは、ＢＦＳバイアル、容器、またはリザーバを含むことができる。ＢＦＳ技術は、少量（例えば、０．１ｍＬ）および大量（例えば、５００ｍＬ＋）の液体充填容器を製造するために使用される製造技法である。ＢＦＳ製造プロセスの間、容器は、機械内部の無菌の密閉された領域において、人の介入なしに連続プロセスで形成され、充填され、密封される。特に、ＢＦＳ製造プロセスは、医薬品グレードのプラスチック樹脂を、円形開口部を通して垂直に熱押出しして、パリソンと呼ばれる吊り下げ管を形成する多段階プロセスである。次に、この押し出されたチューブを２つの部分からなる型内に封入する。成形型は、充填領域または無菌充填スペースに配置され、充填針（マンドレル）がパリソン内に配置され、成形型壁に対して真空によって成形された成形型内のプラスチック容器を充填するために使用される。容器を部分的に形成した後、マンドレルを使用して容器に液体を充填する。充填後、パリソンをＢＦＳ機の型とともに落下させ、第２の上部金型で容器を密封する。全ての動作は、機械内部の無菌シュラウドチャンバ内で行われる。その後、製品は、ラベル付け、包装、流通のために非無菌領域に排出される。
【００１９】
いくつかの実施形態による送達アセンブリは、限定されないが、ＢＦＳバイアルを含む、流体剤を含有する供給源に結合されるように構成することができる。送達アセンブリは、一般に、互いに協働的に配置および結合された別個に構築された構成要素からなるモジュール設計を含むことができる。送達アセンブリの構成要素は、例えば、ＢＦＳバイアルにしっかりと結合されるように構成されたハブ部材、ハブ部材内に位置付けられ、順行方向への流体の流れを制限するように構成された一方向バルブ部材、および／またはハブ部材内に位置付けられ、ＢＦＳバイアルから流体剤を受け入れ、流体剤を患者に投与するための投与部材を受け入れおよび保持するように構成されたインサートを含むことができる。投与部材は、例えば、針（流体剤の皮下、筋肉内、皮内、または静脈内注射用）またはノズル（例えば、流体剤のスプレーへの分散を促進するためのスプレーノズルまたは液滴の形成のための液滴ノズル）を含むことができる。いくつかの実施形態では、ハブ部材は、固体形態の有効成分が注入されるか、またはそうでなければ固体形態の有効成分を含むかもしくは担持する基材を含むことができ、基材は、ハブ部材が希釈剤を含有するＢＦＳバイアルに結合される場合に再構成されるように動作可能である。
【００２０】
送達アセンブリのモジュラー構造は、特定の必要性（即ち、皮下、筋肉内、皮内、静脈内注射、スプレー、または液滴送達等の送達される薬剤に応じた異なる送達モード）を満たす新しい送達アセンブリ構成を作成するために、最小コストで１つ以上の構成要素の迅速な製造再構成を可能にし得る。例えば、ハブ部材および一方向バルブは、同じ構造（寸法および材料）のままにすることができ、一方、インサートは、送達のタイプおよび／または送達される流体剤のタイプに応じて、異なる針サイズおよび／またはノズルタイプを考慮するように変更することができる。
【００２１】
送達アセンブリは、概して、薬剤を投与するための特別な訓練を必要とすることなく、比較的単純な様式で患者への薬剤の送達を可能にするように構成することができる。特に、送達アセンブリは、流体剤を投与する人（例えば、管理者）（これはまた、自己投与を含み得る）が、投与部位（例えば、肩、腕、胸、鼻、耳、目など）上にデバイスを配置することのみを必要とし、次いで、流体剤の用量を含むＢＦＳバイアル本体を完全に圧縮し、それによって、正確な所定の投与量を患者に送達できるように設計される。
【００２２】
送達アセンブリ自体は、事前充填はできない、または薬剤の有効成分の固体形態を収容することができる。したがって、いくつかの実施形態による送達アセンブリは、輸送または保管中に特定の温度（例えば、摂氏２〜８度（２℃〜８℃））に維持する必要はなく、よって、全体的なコストを削減することができる。現在の装置の場合のように、送達アセンブリを一定温度に維持するのではなく、流体剤を含有する供給源（例えば、ＢＦＳバイアル内に提供される単回投与供給）のみを、例えば、一定温度に維持する必要がある。したがって、複数の空の送達アセンブリは、低減されたコストで出荷および保管され、次いで、現場で直接、必要に応じて充填することができ、その結果、単回投与ＢＦＳバイアルのみを保管および維持する必要がある。さらに、送達デバイスが予め充填されていない場合、送達デバイスは、流体剤で充填される前の任意の時点で滅菌することができ、これは、このようなデバイスのばら積み輸送および保管をさらに改善する。
【００２３】
ＩＩ．薬剤送達システム
最初に図１Ａと図１Ｂを参照すると、いくつかの実施形態による、ＢＦＳバイアルパッケージ１０２の斜視図、およびＢＦＳバイアルパックまたはパッケージ１０２の部分拡大斜視図が示されている。ＢＦＳバイアルパッケージ１０２は、例えば、プラスチックおよび／または他の成形された、押し出された、および／または形成されたマニホールド１０４を含むことができる。いくつかの実施形態では、マニホールド１０４は、複数のＢＦＳユニット、容器、および／またはバイアル１１０ａ〜ｅが、例えば、分離取り外し設計によって接続される複数の取り付け点１０６を含むことができる。図１Ｂは第１のＢＦＳバイアル１１０ａの分離取り外し設計の拡大斜視図を示す。図示されるように、各ＢＦＳバイアル１１０ａ〜ｅは、単回投与の流体剤（例えば、薬剤または不活性希釈剤）を含有することができ、ユーザの準備ができたとき、第１のＢＦＳバイアル１１０ａ等の単一バイアルは、第１のＢＦＳバイアル１１０ａの第１の出口または第１のＢＦＳバイアル１１０ａの近位端１１０ａ−１（近位端１１０ａ−１は、マニホールド１０４に近位であり、第２のまたは遠位端１１０ａ−２は、そこから遠位である）と、それぞれの取り付け点１０６との間に配置される引き離しタイプの接続を介して、マニホールド１０４から除去することができる。図示されるようないくつかの実施形態によれば、例えば、第１のＢＦＳバイアル１１０ａの近位端１１０ａ−１（例えば、図１Ａと図１Ｂに別個にラベル付けされていない出口を備えるおよび／または画定することができる）を、取り付け点１０６においてマニホールド１０４に結合することができる。いくつかの実施形態では、所望の第１のＢＦＳバイアル１１０ａを取り付け点１０６から引き離すだけで、ユーザは、第１のＢＦＳバイアル１１０ａを残りのＢＦＳバイアル１１０ｂ〜ｅから分離し、より大きな流体剤源（複数用量シリンジまたはバイアル、図示せず）を使用するのではなく、必要および／または所望される単回投与のみを使用することができ、これによって、第１のＢＦＳバイアル１１０ａ内に配置された単一の流体剤源（例えば、薬剤または不活性希釈剤）を汚染するリスクを完全に防止することができる。
【００２４】
いくつかの実施形態によれば、各ＢＦＳバイアル１１０ａ〜ｅは、成形された、形成された、切断された、接着された、および／または他の方法でそれに結合された特徴などの様々な特徴を備える、および／または画定することができる。図１Ａおよび図１Ｂに示すように、例えば、第１のＢＦＳバイアル１１０ａは、様々な嵌合特徴部が形成される（または他の方法で結合される）ネック１１２ａ（例えば、近位端１１０ａ−１の近く）を備えることができる。いくつかの実施形態では、ネック１１２ａは、第１の外側半径方向フランジ１１４ａ、第２の外側半径方向フランジ１１６ａ、および／または嵌合タブ１１８ａを備えることができる。いくつかの実施形態によれば、嵌合タブ１１８ａは、第２の外側半径方向フランジ１１６ａ上に、第２の外側半径方向フランジ１１６ａとともに、または第２の外側半径方向フランジ１１６ａの一部として配置された、（例えば、近位端１１０ａ−１付近から遠位端１１０ａ−２に向かって増加する傾斜を有する）くさび形半径方向突出部を備えることができる。いくつかの実施形態では、第１のＢＦＳバイアル１１０ａは、ネック１１２ａと連通する流体リザーバ１２０ａを備えることができる。いくつかの実施形態によれば、流体リザーバ１２０ａは、単回投与の流体（例えば、薬剤または不活性希釈剤）を保管、収容、および／または受け入れることができ、および／またはグリッププレート１２２ａに結合することができる。グリッププレート１２２ａは、例えば、軸方向の力を流体リザーバ１２０ａに加えることなく第１のＢＦＳバイアル１１０ａにそのような軸方向の力を加えることを可能にする平坦な要素を備えることができる。
【００２５】
いくつかの実施形態では、パッケージ１０２は、マニホールド１０４自体および／または各個別のＢＦＳバイアル１１０ａ〜ｅ上（例えば、第１のＢＦＳバイアル１１０ａのグリッププレート１２２ａ上）に刻印された印（図示せず）を備えることができる。例示的な印は、ロット番号、有効期限、薬剤情報、セキュリティスタンプ（ＢＦＳバイアル１１０ａ〜ｅが必要な温度で維持されたか否かの表示を提供するための変色温度センサ）、ならびに各ＢＦＳバイアル１１０ａ〜ｅ上に提供される投与ラインを含むことができるが、これらに限定されない。５つのＢＦＳバイアル１１０ａ〜ｅがマニホールド１０４に結合するように図１Ａに示されているが、より少ないまたはより多いＢＦＳバイアル１１０ａ〜ｅを、望ましいおよび／または実用的であるように、または望ましいおよび／または実用的になるように、マニホールド１０４に結合することができる。
【００２６】
いくつかの実施形態によれば、ＢＦＳバイアルパッケージ１０２および／またはＢＦＳバイアル１１０ａ〜ｅのうちの１つまたは複数（および／または本明細書で説明するハブデバイス）は、１つまたは複数の電子デバイス（明示的に図示せず）を備えることができ、および／またはそれに結合することができる。電子デバイスは、例えば、１つまたは複数の受動誘導デバイス、無線周波数識別（ＲＦＩＤ：Ｒａｄｉｏ  Ｆｒｅｑｕｅｎｃｙ  ＩＤｅｎｔｉｆｉｃａｔｉｏｎ）デバイス、近距離通信（ＮＦＣ：Ｎｅａｒ−Ｆｉｅｌｄ−Ｃｏｍｍｕｎｉｃａｔｉｏｎ）デバイス、処理デバイス、蓄電デバイス、および／またはメモリ記憶デバイスを備えることができる。いくつかの実施形態では、電子デバイスは、ＢＦＳバイアルパッケージ１０２の地理的移動を追跡するため、および／または特定のＢＦＳバイアル１１０ａ〜ｅが特定の受信者への投与のために利用されるべきであることを検証または確認するためなど、様々なデータ要素を記憶、処理、受信、および／または送信することができる。
【００２７】
いくつかの実施形態では、例えば、ユーザ（医療従事者であれ、自己注射している患者であれ、または患者に注射している友人もしくは家族であれ）が、ＮＦＣチップなどの第１の電子デバイスを備える第１のＢＦＳバイアル１１０ａを利用して薬剤を注射しようとしている場合、ユーザは、最初に、ユーザのモバイルデバイス（図示せず）上の適切なアプリを開き、第１のＢＦＳバイアル１１０ａおよび／または第１の電子デバイスをモバイルデバイスにタップし（または近接させ）、それらの間の通信を開始することができる。これにより、いくつかの実施形態では、アプリが、（ｉ）流体または薬剤が、患者が（例えば、第１の電子デバイスによって記憶された流体データと、例えば、ユーザのモバイルデバイスの別個のメモリデバイス内に記憶された患者情報との比較に基づいて）受信していると想定される正しい流体または薬剤であること、（ｉｉ）注射が、適切な時間枠内に投与されていること（例えば、現在の時間および／または日付を、第１の電子デバイスのデータによって記憶および／または参照される時間および／または日付と比較することによって）、（ｉｉｉ）第１のＢＦＳバイアル１１０ａおよび／またはその中の流体が、損なわれていない、および／または期限切れでないことのうちの１つまたは複数を検証および／または認証することによって、注射を検証することが可能になる。いくつかの実施形態によれば、前述のいずれも、モバイルデバイス上のアプリに記憶された、および／またはインターネットもしくはクラウドベースのシステムを介してアプリにアクセス可能な患者の記録、および／または第１の電子デバイスに記憶されたデータに基づいて検証することができる。いくつかの実施形態では、必要な（または所望の）検証が正常に行われた場合、ユーザは、注射を実行することを許可され得る（例えば、承認インジケータが、アプリの画面を介してユーザに出力され得る）。ユーザは、承認された注射を実行した場合にのみアプリを介して報酬を受け取ることができるので、アプリを介して承認を受け取ったときにのみ注射するように動機付けられ得る。いくつかの実施形態では、ユーザはまた、注射後に第１のＢＦＳバイアル１１０ａおよび／または注射部位（図示せず）の写真をアップロードするように要求される可能性がある（例えば、報酬の資格を確定するため、および／または追加の報酬の資格を得るため）。いくつかの実施形態によれば、報酬は、例えば、流体の投与および／または第１のＢＦＳバイアル１１０ａの使用を記述するデータの受信に応答して、ユーザのモバイルデバイスを介してユーザに提供され得る。
【００２８】
いくつかの実施形態によれば、ＢＦＳ製造公差は、射出成形および他の製造技術ほど正確ではないので、第１の外側半径方向フランジ１１４ａ、第２の外側半径方向フランジ１１６ａ、および／または嵌合タブ１１８ａを含むようなＢＦＳバイアル１１０ａ〜ｅの構成は、ＢＦＳバイアル１１０ａ〜ｅが、本明細書で説明されるようなモジュール式送達システム（図示せず）に結合されることを可能にし得る一方で、広範囲の製造寸法にもかかわらず機能を有効にする。このようにして、例えば、以前のシステムでは達成できなかったモジュール式の流体送達機能を維持しながら、ＢＦＳ技術を採用することでコストを削減できる。
【００２９】
いくつかの実施形態では、本明細書に記載の実施形態の範囲から逸脱することなく、より少ないまたはより多い構成要素１０４、１０６、１１０ａ〜ｅ、１１０ａ−１、１１０ａ−２、１１２ａ、１１４ａ、１１６ａ、１１８ａ、１２０ａ、１２２ａ、および／または図示の構成要素１０４、１０６、１１０ａ〜ｅ、１１０ａ−１、１１０ａ−２、１１２ａ、１１４ａ、１１６ａ、１１８ａ、１２０ａ、１２２ａの様々な構成をＢＦＳバイアルパッケージ１０２に含むことができる。いくつかの実施形態では、構成要素１０４、１０６、１１０ａ〜ｅ、１１０ａ−１、１１０ａ−２、１１２ａ、１１４ａ、１１６ａ、１１８ａ、１２０ａ、１２２ａは、構成および／または機能性において本明細書に記載されたものと同様の名称および／または番号の構成要素と類似することができる。いくつかの実施形態では、ＢＦＳバイアルパッケージ１０２（および／またはその部分および／または構成要素１０４、１０６、１１０ａ〜ｅ、１１０ａ−１、１１０ａ−２、１１２ａ、１１４ａ、１１６ａ、１１８ａ、１２０ａ、１２２ａ）は、本件の図８および／または図９の方法８００、９００および／またはその一部または組合せに従って利用することができる。
【００３０】
ここで、図２Ａ、図２Ｂ、図２Ｃ、図２Ｄ、図２Ｅ、図２Ｆ、図２Ｇ、図２Ｈ、図２Ｉ、図２Ｊ、図２Ｋ、図２Ｌ、図２Ｍおよび図２Ｎは、いくつかの実施形態による流体送達システム２００の様々な図を示す。具体的には、図２Ａおよび２Ｂは流体送達システム２００の右側面図であり、図２Ｃおよび図２Ｄは流体送達システム２００の部分右側面図であり、図２Ｅは流体送達システム２００の部分分解右側面図であり、図２Ｆは流体送達システム２００の右側断面図であり、図２Ｇは流体送達システム２００の一部の右側断面組立図であり、図２Ｈは流体送達システム２００の部分右側断面図であり、図２Ｉは流体送達システム２００の右後方斜視部分断面図であり、図２Ｊは流体送達システム２００の右側斜視部分断面図であり、図２Ｋは流体送達システム２００の右側部分断面図であり、図２Ｌは流体送達システム２００の一部の右前方斜視断面図であり、図２Ｍは流体送達システム２００の右側部分断面図であり、図２Ｎは流体送達システム２００の一部の上面図および側面図である。
【００３１】
いくつかの実施形態では、流体送達システム２００は、バイアルネック２１２、第１のフランジ２１４、第２のフランジ２１６、複数の係止タブ２１８ａ〜ｂ、圧潰可能リザーバ２２０、および／またはグリッププレート２２２を備える、および／または画定する、ＢＦＳバイアル２１０（例えば、第１の端部２１０−１および第２の端部２１０−２を有する）等の種々の相互接続および／またはモジュール式構成要素を備えることができる。いくつかの実施形態によれば、流体送達システム２００は、安全カバーまたはキャップ２２８（例えば、円筒形キャップ本体２２８−１、内部空隙２２８−２、テーパ状キャップ本体２２８−３、および／またはヘッドスペース２２８−４を備えるおよび／または画定する）、ハブ２３０（例えば、ハブ本体２３２、ハブボア径２３２−２を画定するハブボア２３２−１、バイアルベベル２３２−３、複数の係止スロット２３４ａ〜ｂ、アセンブリフランジ２３６、バルブスロット２３８、流体出口ボア径２４０−１を画定する流体出口ボア２４０、バルブシート２４０−２、インサートボア径２４２−１を画定するインサートボア２４２、インサートベベル２４２−２、インサート凹部２４２−３、および／またはインサートシート２４４を備える）、バルブ２５０（例えば、バルブ本体２５２、バルブチャネル２５２−１、バルブフラップ２５２−２、取り付け翼２５４ａ、ライザ２５６、順行空隙２５８、バイアルフランジ２６０、および着座面２６２を備えるおよび／または画定する）、インサート２７０（例えば、インサート本体２７２、流体チャネル２７２−１、チャネルストップ２７２−２、出口漏斗２７４、入口漏斗２７６、着座フランジ２７８、および／または着座フランジカラー２７８−１を備えるおよび／または画定する）、投与部材２８０（例えば、細長い本体２８２、流体ボア２８２−１、第１の端部２８２−２、第２の端部２８２−３、および／または針、ポイントまたは先端部２８４を備えるおよび／または画定する）、および／または基材２９０（例えば、流れプロファイル２９２および／またはチャネル２９４を備えるまたは画定する）、送達またはハブアセンブリ２２６を含むことができる。いくつかの実施形態によれば、流体送達システム２００および／またはハブアセンブリ２２６は、互いに協働的に配置および結合された別々に構築された構成要素２２８、２３０、２５０、２７０、２８０、２９０からなるモジュール設計を含むことができる。ハブアセンブリ２２６の構成要素２２８、２３０、２５０、２７０、２８０は、例えば、ＢＦＳバイアル２１０を含むがこれに限定されない流体剤を含有する供給源に結合されるように構成されたハブ２３０と、ハブ２３０内に配置され、順行方向への流体の流れを制限するように構成された一方向バルブ２５０と、ハブ２３０内に配置され、ＢＦＳバイアル２１０から流体剤を受け入れ、流体剤を患者（図示せず）に投与するための投与部材２８０を受け入れて保持するように構成されたインサート２７０と、ハブ２３０内に配置された基材２９０（例えば、基材２９０によって保持された有効成分の純度および／または有効性を維持するためなどに、それ自体が封止されてもよい（図示せず））と、を含むことができる。
【００３２】
いくつかの実施形態では、投与部材２８０は、患者への流体剤の皮下、筋肉内、皮内、および静脈内注射のうちの少なくとも１つのための針２８４を含むことができる。説明および記述を容易にするために、本明細書の図および記述は、概して、投与部材２８０を針２８４と呼ぶ。しかしながら、他の実施形態では、投与部材２８０は、患者への流体剤の投与を制御するように構成されたノズル（図示せず）を含むことができることに留意されたい。ノズルは、例えば、流体剤のスプレーへの分散を容易にするように構成されたスプレーノズルを含むことができる。したがって、スプレーノズルが取り付けられたハブアセンブリ２２６は、例えば、鼻道、またはスプレー塗布から利益を得る身体の他の部分（例えば、外耳道、他の開口部）への流体剤の投与において特に有用であり得る。他の実施形態では、ノズルは、流体剤の液滴の形成を促進するように構成することができる。したがって、液滴ノズルを含むハブアセンブリ２２６は、眼への投与、局所投与など、液滴による流体剤の投与に有用であり得る。
【００３３】
一般的に理解されているように、薬剤は、患者（例えば、ヒトまたは非ヒトのいずれかの哺乳動物）に注入され、（単独で、または基材２９０によって保持され得るような有効成分と組み合わせて）効果を生じ得る任意のタイプの薬剤を含むことができる。したがって、薬剤は、ワクチン、薬物、治療剤、薬、希釈剤、および／または同等物を含むことができるが、それらに限定されない。いくつかの実施形態によれば、流体剤および有効成分（即ち、薬剤および／またはその成分）のいずれかまたは両方は、本明細書に記載されるように、ＢＦＳバイアル２１０およびハブ２３０などの様々なモジュールまたは構成要素に結合された電子データ記憶デバイス（図示せず）の利用などによって、互いとの適合性について追跡、監視、チェックなどされ得る。
【００３４】
いくつかの実施形態によれば、ハブ２３０は、例えば、図２Ｅに示すように軸「Ａ−Ａ」に沿って、入口ポートを画定する第１の端部と出口を画定する第２の端部とを有するハブボア２３２−１を画定するハブ本体２３２を含むことができる。いくつかの実施形態では、ハブボア２３２−１は、入口ポートと出口ポートとの間に流体経路を設けることができる。ハブ２３０は、ＢＦＳバイアル２１０の対応する特殊な非標準接続継手、例えば、（図２Ａおよび２Ｆに示された）係止タブ２１８ａ〜ｂ、と結合されるように構成された係止スロット２３４ａ〜ｂなどの特殊な非標準（非ルアー型）接続継手を含むことができる。例えば、第１の端部に隣接するハブ本体２３２の一部は、ＢＦＳバイアル２１０の対応する形状および／またはサイズの突出部、突起など（例えば、係止タブ２１８ａ〜ｂ）を受け入れるような形状および／またはサイズである特定の形状または幾何学的形状の凹部、凹み部、または完全な開口部（例えば、係止スロット２３４ａ〜ｂ）を含むことができる。いくつかの実施形態では、ハブ本体２３２は、ハブ本体２３２の両側に、第１の端部に隣接して対向する開口部を画定する２つの係止スロット２３４ａ〜ｂを含むことができ、係止スロット２３４ａ〜ｂは、ＢＦＳバイアル２１０のネック２１２上に画定された対応する係止タブ２１８ａ〜ｂを受け入れて保持するような形状および／またはサイズにされる。いくつかの実施形態によれば、ハブ２３０は、ハブ本体２３２上に形成され、バルブスロット２３８などの１つまたは複数の窓またはポート部分を備えることができ、バルブ２５０の一部（例えば、取り付け翼２５４ａ）を内部に受け入れて保持するための手段を提供するように構成される。
【００３５】
例えば、バルブ２５０は、一般にハブボア２３２−１内に配置することができ、および／またはゴム、合成ゴム、ラテックス、および／または他のエラストマーポリマー材料などのポリマー材料から形成することができる。いくつかの実施形態では、バルブ２５０は、バルブ２５０の部分（例えば、取り付け翼２５４ａ）がバルブスロット２３８を通って延在し、少なくとも水密シールを提供するように任意のギャップを充填し得るように、ハブボア２３２−１内に圧入することができる。バルブスロット２３８を通ってハブ２３０の外面まで延在するバルブ２５０（および／またはその取り付け翼２５４ａ）の露出した１つまたは複数の部分は、一般に、キャップ２２８がハブアセンブリ２２６の上に配置され、かつ／またはそれに結合される場合に、キャップ２２８の内面内部空隙２２８−２に摩擦嵌合を提供することができる。言い換えれば、バルブ２５０（および／またはその取り付け翼２５４ａ）の露出したポリマー材料は、一般に、キャップ２２８との十分な摩擦を提供して、キャップ２２８をハブアセンブリ２２６上に保持し続けることができる。いくつかの実施形態では、バルブ２５０は、それを通って延在し、例えば、軸「Ａ−Ａ」に沿って、ハブボア２５２−１と同軸整列する、バルブチャネル２３２−１を備え、および／または画定することができる。いくつかの実施形態によれば、バルブ２５０は、バルブチャネル２５２−１内に設けられ、ハブ２３０から投与部材２８０に向かう順行方向への流体の流れを制限するように構成されたバルブフラップ２５２−２を備えることができ、それによって、流体剤がＢＦＳバイアル２１０から送達されるときに流体が単一方向に流れることを確実にする。
【００３６】
いくつかの実施形態では、インサート２７０を、ハブ２３０の第２の端部に隣接するハブボア２３２−１内に配置することができる。インサート２７０は、いくつかの実施形態によれば、インサート２７０を通って完全に軸線方向に延在する流体チャネル２７２−１を備えるおよび／または画定することができる。流体チャネル２７２−１は、流体経路が、ハブ２３０の第１の端部から、ハブボア２３２−１を通り、バルブ２５０のバルブチャネル２５２−１を通り、インサート２７０の流体チャネル２７２−１を通って全体的に延在するように、例えば、軸「Ａ−Ａ」に沿って、ハブボア２３２−１および／またはバルブチャネル２５２−１と同軸に整列することができる。いくつかの実施形態によれば、インサート２７０の着座フランジカラー２７８−１は、バルブチャネル２５２−１内、例えば、ライザ２５６内に嵌合されるように構成することができる。投与部材２８０（例えば、針２８４）は、インサート２７０の流体チャネル２７２−１内で受け入れられ、および／または保持されることができ、その結果、流体剤がＢＦＳバイアル２１０からハブアセンブリ２２６の流体経路を通して流体剤が送達されると、流体剤が針２８４の流体ボア２８２−１から流出し、それによって流体剤の患者への送達を可能にする。
【００３７】
いくつかの実施形態によれば、ハブアセンブリ２２６は、汚染を防止し、針刺し損傷のリスクをさらに低減し、したがって血液感染症が広がる可能性を低減する針２８４を覆うためのキャップ２２８を含むことができる。いくつかの実施形態では、ハブアセンブリ２２６を、概して、針２８４を覆って提供されるキャップ２２８を含む、および／または（例えば、シールが破壊されるまで、および／またはＢＦＳバイアル２１０がハブ２３０と嵌合されるまで）汚染物質がハブ２３０に進入することを防止する、箔、プラスチック、および／または収縮包装シール等のシール（図示せず）を含む、完全に組み立てられた状態で包装および送達することができる。したがって、ユーザは、ＢＦＳバイアル２１０をハブアセンブリ２２６に最初に取り付けるときに、露出した針２８４を取り扱う必要がなく、ハブアセンブリ２２６は、その中に保管された任意の活性剤を保護するために封止されてもよい。（例えば、図２Ｍに示されるような基材２９０）。むしろ、ユーザは、ＢＦＳバイアル２１０がハブアセンブリ２２６にしっかりと取り付けられ、それによって流体剤送達のために針２８４を露出させると、キャップ２２８を取り外すだけでよい。次いで、ユーザは、送達が完了すると、キャップ２２８を交換することができる。
【００３８】
いくつかの実施形態では、ハブ２３０、バルブ２５０、インサート２７０、基材２９０、および／またはキャップ２２８は、医療グレード材料から構成することができる。いくつかの実施形態では、ハブ２３０、インサート２７０、基材２９０、および／またはキャップ２２８は、限定はしないが、ポリプロピレン、ポリエチレン、ポリベンズイミダゾール、アクリロニトリルブタジエンスチレン（ＡＢＳ：ａｃｒｙｌｏｎｉｔｒｉｌｅ  ｂｕｔａｄｉｅｎｅ  ｓｔｙｒｅｎｅ）ポリスチレン、ポリ塩化ビニル、ＰＶＣなどを含む熱可塑性ポリマーから構成することができる。
【００３９】
図２Ａおよび図２Ｂを参照すると、流体送達システム２００の右側面図は、ハブアセンブリ２２６へのＢＦＳバイアル２１０の取り付けを示す。図２Ａに組み立てられていない状態で示されるように、例えば、ハブアセンブリ２２６は、ＢＦＳバイアル２１０に係合し、および／または選択的に割り出され、および／または結合されるように、矢印に軸「Ａ−Ａ」に沿って軸方向に（例えば、図２Ａの左に）付勢され得る。いくつかの実施形態では、ＢＦＳバイアル２１０は、内部に流体剤の少なくとも１回分の投与量を収容するのに十分な内部容積を有する可撓性本体を一般に含むことができる圧潰可能リザーバ２２０を画定することができる。ＢＦＳバイアル２１０は、いくつかの実施形態では、圧潰可能リザーバ２２０の本体から延在し、圧潰可能リザーバ２２０の本体の圧搾時に流体剤を分注するための出口を画定する第１の端部２１０−１で終端する、ネック２１２を備えることができる（例えば、図２Ｆの半径方向内向き矢印に従って）。いくつかの実施形態によれば、ＢＦＳバイアル２１０は、ＢＦＳ技術によって形成することができる。ＢＦＳバイアル２１０は、圧潰可能リザーバ２２０、ネック２１２、ならびに第１および第２の端部２１０−１、２１０−２が形成され、流体薬内に充填され、人の介入なしに連続プロセスで、マシン内部の無菌の密閉された領域内に封止されるという点で、ＢＦＳ技術によって形成することができる。したがって、無菌の薬液体剤形を無菌的に製造するためにこのプロセスを使用することができる。ＢＦＳ技術は、人の介入を低減し、無菌医薬品の無菌調製のためのより堅牢な方法にするので、市場において特に魅力的であり得る。
【００４０】
いくつかの実施形態によれば、ハブ本体２３２は、一般に、ＢＦＳバイアル２１０の対応する特殊非標準接続継手（例えば、係止タブ２１８ａ〜ｂ）と結合されるように構成された特殊非標準接続継手（係止スロット２３４ａ〜ｂ）を含むことができる。例えば、ＢＦＳバイアル２１０は、第１の端部２１０−１に隣接するネック２１２の両側に画定され、ハブ２３０上の係止スロット２３４ａ〜ｂに対応する略形状を有する、２つの係止タブ２１８ａ〜ｂを含むことができる。ユーザがＢＦＳバイアル２１０の第１の端部２１０−１をハブ２３０内に挿入すると、係止タブ２１８ａ〜ｂは、対応する係止スロット２３４ａ〜ｂとそれぞれ摺動係合（図２Ｂおよび図２Ｆに示すような）するように成形（例えば、くさび形）することができる。図２Ｆはハブアセンブリ２２６に取り付けられたＢＦＳバイアル２１０を示し、ＢＦＳバイアル２１０の接続継手（例えば、係止タブ２１８ａ〜ｂおよび係止スロット２３４ａ〜ｂ）とハブアセンブリ２２６のハブ２３０との間の係合をそれぞれ示す、部分断面の斜視図である。図示されるように、ＢＦＳバイアル２１０のネック２１２上の係止タブ２１８ａ〜ｂは、ハブ２３０の対応する係止スロット２３４ａ〜ｂと係合することができる。いくつかの実施形態では、係止タブ２１８ａ〜ｂは、ハブ２３０からのＢＦＳバイアル２１０の引き抜きを防止または阻止するように成形することができ、これによって、それら自体を係止スロット２３４ａ〜ｂ内に効果的に係止し、ＢＦＳバイアル２１０をハブアセンブリ２２６と係合するように効果的に係止することができる。ＢＦＳバイアル２１０をハブアセンブリ２２６に固定することによって、ユーザは、例えば、図２Ｆの矢印によって示されるように、圧潰可能リザーバ２２０に力を加える（例えば、圧搾する）だけで流体剤は軸「Ａ−Ａ」に沿って、および針２８４の流体ボア２８２−１から流れ、ＢＦＳバイアル２１０から、針２８４を含むハブアセンブリ２２６を通って、患者（図示せず）の中に移動する。
【００４１】
いくつかの実施形態では、ハブアセンブリ２２６とＢＦＳバイアル２１０との間の特殊な非標準接続継手は、対応する薬剤を伴う承認された供給源（例えば、単回用量ＢＦＳバイアル２１０）のみが流体送達システム２００とともに使用されることを可能にし、これによって、セキュリティのレベルを高めることができる。例えば、送達方法は、一般に、送達される流体剤のタイプに依存する。いくつかの薬は、例えば、静脈内に最良に送達され、一方、いくつかのワクチンは、皮内に最良に送達され、さらになお、いくつかの流体剤は、液滴またはスプレーを介して投与される。したがって、ハブアセンブリ２２６は、特定の流体剤の送達のために構成することができ、即ち、ハブアセンブリ２２６上の接続継手は、その特定の流体剤を含有するＢＦＳバイアル２１０の対応する接続継手のみを受け入れおよび係合するように設計することができる。したがって、特殊接続継手設計により、一致するＢＦＳバイアル２１０（その特定の送達アセンブリに適切な流体剤を含有する）のみが、ハブアセンブリ２２６に接続できることが保証され、これによって、安全性を確実にし、リスクを低減することができる。
【００４２】
図２Ｇはハブアセンブリ２２６の分解斜視断面図である。図２Ｈは互いに組み立てられ、それらの間に連続的な流体経路を形成する構成要素を示すハブアセンブリ２２６の斜視断面図であり図２Ｉは互いに組み立てられた構成要素を示すハブアセンブリ２２６の別の斜視断面図である。図示されるように、いくつかの実施形態によれば、ハブ２３０は、それを通って延在するハブボア２３２−１を備える、および／または画定することができる。ハブ２３０はまた、または代替として、バルブ２５０およびインサート２７０が結合される流体出口ボア２４０を備えることができる。いくつかの実施形態では、バルブ２５０のライザ２５６は、流体出口ボア２４０の一方の側（例えば、図示されるように左側）に位置付けることができ、インサート２７０の着座フランジカラー２７８−１は、概して、流体出口ボア２４０を通してまたはその中に（および／またはバルブ２５０のライザ２５６を通してまたはその中に）突出することができ、流体出口ボア２４０の他方の側（例えば、図示されるように右側）に位置付けることができる。いくつかの実施形態によれば、インサート２７０の着座フランジカラー２７８−１は、バルブ２５０のライザ２５６のバルブチャネル２５２−１内に受け入れられ、概して、バルブフラップ２５２−２に当接して延在することができる。いくつかの実施形態では、投与部材２８０は、中空であることができ、および／または別様に流体ボア２８２−１を画定することができ、および／または概して鈍い第２の端部２８２−３を備えることができる、細長い本体２８２と、第１の端部２８２−２における穿孔先端２８４とを備える。いくつかの実施形態では、投与部材２８０の第２の端部２８２−３は、インサート２７０の流体チャネル２７２−１内に位置付けることができ、流体チャネル２７２−１は、投与部材２８０の第２の端部２８２−３が流体チャネル２７２−１を行き過ぎて移動することを防止する、チャネルストップ２７２−２または端部分（例えば、内部フランジまたは縮径するようにテーパ状にされる）を備えることができる。完全に組み立てられると、流体経路は、ハブアセンブリ２２６を完全に通って、ハブ２３０から投与部材２８０の先端２８４まで延在し、それらの間の構成要素のそれぞれを通過する（例えば、ハブ２３０、バルブ２５０、およびインサート２７０を通って）ことができる。
【００４３】
図２ＪはＢＦＳバイアル２１０の接続継手とハブアセンブリ２２６のハブ２３０との間の係止係合を示す、部分断面の拡大斜視図である。いくつかの実施形態では、ハブ本体２３２は、一般に、ＢＦＳバイアル２１０の対応する特殊非標準接続継手と結合されるように構成された特殊非標準接続継手（係止スロット２３４ａ〜ｂ）を含むことができる。例えば、ＢＦＳバイアル２１０は、第１の端部２１０−１に隣接するネック２１２の両側に画定され、ハブ２３０上の係止スロット２３４ａ〜ｂに対応する略形状を有する、２つの係止タブ２１８ａ〜ｂおよび／または他の突出部もしくは特徴を含むことができる。ユーザがＢＦＳバイアル２１０の第１の端部２１０−１をハブ２３０に挿入すると、係止タブ２１８ａ〜ｂは、それぞれ対応する係止スロット２３４ａ〜ｂと摺動係合するようにスライドするように形成することができる。図示されるように、ＢＦＳバイアル２１０のネック上の係止タブ２１８ａ〜ｂは、ハブ２３０の対応する係止スロット２３４ａ〜ｂと係合し得る。係止タブ２１８ａ〜ｂは、いくつかの実施形態では、ハブ２３０からのＢＦＳバイアル２１０の引き出しを防止するようにさらに成形されてもよく、これによって、それら自体を係止スロット２３４ａ〜ｂ内に効果的に係止し、ＢＦＳバイアル２１０をハブアセンブリ２２６と係合するように効果的に係止することができる。
【００４４】
図２Ｋと図２ＬはＢＦＳバイアル２１０がハブアセンブリ２２６にしっかりと結合されたときの、ＢＦＳバイアル２１０の第１の端部２１０−１（および出口）とハブアセンブリ２２６のバルブ２５０との間の係合を示す、部分断面の拡大斜視図である。ＢＦＳバイアル２１０をハブ２３０に固定することによって、ＢＦＳバイアル２１０の第１の端部２１０−１の出口は、いくつかの実施形態によれば、バルブ２５０のバルブフラップ２５２−２と直接整列して（例えば、軸方向に整列して）配置される。したがって、ＢＦＳバイアル２１０の出口は、（例えば、軸「Ａ−Ａ」に沿って）流体経路と直接軸方向に整列していてもよい。ＢＦＳ製造プロセス中に一般に生じるいくつかの小さな変動のために、ＢＦＳバイアルの寸法が不正確になる場合があることに留意されたい。例えば、任意の所与のＢＦＳバイアル２１０の第２の端部２１０−１は、（マイクロスケールで）互いに比較したときに異なる寸法を有することがある。そのような変動を補償するために、ＢＦＳバイアル２１０とハブ２３０との間の接続継手は、ＢＦＳバイアル２１０の第１の端部２１０−１が、バルブ２５０（例えば、そのバイアルフランジ２６０）に対して位置付けられ、それと係合することをさらに確実にする。いくつかの実施形態では、バルブ２５０のポリマー材料により、ＢＦＳバイアル２１０の第１の端部２１０−１とバルブ２５０のバイアルフランジ２６０との間にシールが形成され、それにより、ＢＦＳバイアル２１０の不正確な製造を考慮することができる。
【００４５】
いくつかの実施形態によれば、図２Ａに示されるように、流体送達システム２００は、ハブアセンブリ２２６をＢＦＳバイアル２１０上に付勢する（示される矢印に従って）対向する軸方向の力の印加によって組み立てられ得る。いくつかの実施形態では、ユーザ（図示せず）は、グリッププレート２２２およびハブ２３０（および／またはキャップ２２８）を把持し、ＢＦＳバイアル２１０をハブアセンブリ２２６のハブボア２３２−１に押し込むことができる。シール（図示せず）がハブボア２３２−１を覆うように配置される場合、ＢＦＳバイアル２１０（または第１の端部２１０−１などのその一部）の挿入は、シールを破壊し得る。いくつかの実施形態によれば、使用されるシールの構成に応じて、ユーザは、流体送達システム２００を組み立てる前にシールを取り外す必要があり得る。いくつかの実施形態では、グリッププレート２２２は、ユーザが、圧潰可能リザーバ２２０に力を加える必要なく、ハブアセンブリ２２６の方向に軸方向の力を加えることを可能にし得る（例えば、圧潰可能リザーバ２２０に保管された流体の偶発的な放出を防止する）。いくつかの実施形態によれば、ユーザは、ハブ２３０のアセンブリフランジ２３６に軸方向の力を加え、グリッププレート２２２に反対の軸方向の力を加えて、例えば、図２Ｂに示されるように、ＢＦＳバイアル２１０をハブアセンブリ２２６とまたは嵌合させることができる。
【００４６】
図２Ｃおよび図２Ｄを参照すると、キャップ２２８は、ハブアセンブリ２２６に結合するように選択的に係合することができる。ハブアセンブリ２２６は、例えば、円筒形キャップ本体２２８−１の内部空隙２２８−２内に配置することができ、および／またはその投与部材２８０は、テーパ状キャップ本体２２８−３のヘッドスペース２２８−４内に配置することができ、これにより、針２８４は、例えば、清潔さおよび安全のために、保護および／または覆われている。いくつかの実施形態では、ハブ本体２３２の外径は、内部空隙２２８−２内に嵌合するようにサイズを決定することができる（例えば、内部空隙２２８−２の内径よりも小さい外径で構成することができる）。いくつかの実施形態によれば、バルブ２５０の１つ以上の部分は、ハブ本体２３２の側面を通って延在することができ、ハブアセンブリ２２６の外径の局所的な増加を引き起こす。いくつかの実施形態では、ハブアセンブリ２２６のこの局所化された最大外径は、ハブ本体２３２とキャップ２２８との間に中間嵌合（例えば、「Ｈ７／ｊ６」または「締まり嵌め」）を提供するように構成することができ、キャップ２２８が選択的に除去されることを可能にする（例えば、図２Ｄに示されるように）、および／または必要に応じて、手動で設置される。いくつかの実施形態によれば、バルブ２５０がゴムまたは別の摩擦面を備える場合、そのような材料の摩擦係数および／または内部空隙２２８−２の内側の材料の圧縮は、嵌合の性質を提供および／または強化することができる。
【００４７】
いくつかの実施形態によれば、図２Ｅの組立図に示すように、流体送達システム２００は、ハブ２３０、バルブ２５０、インサート２７０、および投与部材２８０などの複数のモジュール式構成要素から構成されるハブアセンブリ２２６を備えることができる。図２Ｆに示すように、モジュール式構成要素２３０、２５０、２７０、２８０は、一緒に結合され、ＢＦＳバイアル２１０に取り付けられて、流体送達システム２００を形成することができる。図２Ｇの断面組立図に示されるように、モジュール式構成要素２３０、２５０、２７０、２８０は、その様々な部分および／または特徴の位置合わせおよび／または結合によって、軸「Ａ−Ａ」に沿って組み立てることができる。ハブ２３０は、ハブ本体２３２（いくつかの実施形態では、略円筒形であってもよい）を備えることができ、ハブ本体は、内側ハブボア径２３２−１を有するハブボア２３２−２を備えることができ、および／または画定することができ、および／またはＢＦＳバイアル２１０の挿入時にＢＦＳバイアルと係合するバイアルベベル２３２−３を画定することができる。ＢＦＳバイアル２１０の第１のフランジ２１４および／または係止タブ２１８ａ〜ｂは、例えば、ハブボア径２３２−２を越えて半径方向外向きに延在することができ、即ち、それらがバイアルベベル２３２−３の中により深く挿入されるにつれて、ハブボア２３２−１の側壁と係合することができる。いくつかの実施形態では、そのような係合は、ＢＦＳバイアル２１０のネック２１２（および／またはその第１のフランジ２１４および／または係止タブ２１８ａ〜ｂ）を半径方向内向きに圧縮させることができ、および／またはハブ本体２３２を半径方向外向きに（例えば、弾性的に）拡張させることができ、例えば、締まり嵌めおよび／または締まり嵌め係合に従って、ＢＦＳバイアル２１０のハブ２３０内への継続的な前進を可能にする。いくつかの実施形態によれば、ＢＦＳバイアル２１０のネック２１２をハブ２３０内に押し込むことによって加えられる半径方向の圧力は、半径方向のバネ効果を係止タブ２１８ａ〜ｂに付与することができ、その結果、軸方向の前進が係止タブ２１８ａ〜ｂを対応する係止スロット２３４ａ〜ｂと整列させるとき、係止タブ２１８ａ〜ｂは、半径方向外側に、対応する係止スロット２３４ａ〜ｂ内に跳ね返り、それによって、内部ハブボア径２３２−２と係止タブ２１８ａ〜ｂの外径および／または半径方向範囲との間の差によってそこに加えられる半径方向の圧力を低減および／または除去する。
【００４８】
いくつかの実施形態では、ハブ２３０は、流体出口ボア径２４０−１を有する流体出口ボア２４０を備えることができる。いくつかの実施形態によれば、図２Ｇに示すように、流体出口ボア径２４０−１は、ハブボア径２３２−２よりも小さくすることができる。流体出口ボア径２４０−１とバルブボア径２３２−２との差は、例えば、バルブシート２４０−２および／またはインサートシート２４４を提供および／または画定することができる。いくつかの実施形態では、バルブ２５０は、ハブボア２３２−１に挿入することができ、ハブボア２３２−１内に嵌合するようにサイズ決定された外径を有するバルブ本体２５２を備えることができる。いくつかの実施形態によれば、バルブ本体２５２の径は、ハブボア径２３２−２よりも大きくすることができ、これにより、バルブ２５０は、締まり嵌めのためにハブボア２３２−１内に圧縮されなければならない。いくつかの実施形態によれば、バルブ２５０は、バルブシート２４０−２内に着座することができ、および／または取り付け翼２５４ａは、ハブ本体２３２の側壁内のバルブスロット２３８内におよび／またはそれを通して嵌合するように係合することができ、例えば、バルブ本体２５２とハブ本体２３２との間に水密シールを生成する。いくつかの実施形態では、ハブ２３０は、インサートボア径２４２−１を有するインサートボア２４２を備えることができる。いくつかの実施形態によれば、インサート２７０は、インサートボアの内径２４２−１よりも大きい外径を有することができる着座フランジ２７８を備えることができる。インサートボア２４２内へのインサート２７０の軸方向の前進または挿入は、それに応じて、着座フランジ２７８をハブ２３０のインサートベベル２４２−２に係合させることができ、これは、インサートベベル２４２−２に半径方向外向きの力を及ぼすことができ、これは、ハブ本体２３２を半径方向に拡張させて（例えば、弾性的に）着座フランジ２３８を収容することができる。いくつかの実施形態では、ハブ２３０のインサート凹部２４２−３は、着座フランジ２３８を収容するようにサイズ決めすることができ、即ち、着座フランジ２３８がインサート凹部２４２−３と軸線方向に整列するようにインサート２７０がインサートボア２４２内に前進すると、インサート２７０は所定の位置にスナップ嵌めすることができ、ハブ本体２３２はその元の径に戻ることができる。いくつかの実施形態によれば、着座フランジ２７８および／または着座フランジカラー２７８−１は、着座フランジ２３８がインサート凹部２４２−３内に着座される場合に、インサートシート２４４と係合することができ、および／または水密シールを形成することができる。いくつかの実施形態では、インサート２７０は、順行方向に移動する流体および／または薬剤を流体チャネル２７２−１の中へ漏斗するように構成された入口漏斗２７６を備えることができる。いくつかの実施形態によれば、投与部材２８０は、出口漏斗２７４に入り、流体チャネル２７２−１内にチャネルストップ２７２−２まで延びることによって、インサート２７０内に挿入され得る。
【００４９】
図２Ｈと図２Ｉを参照すると、ハブ２３０、バルブ２５０、およびインサート２７０の間の着座および封止が図示されている。例えば、図２Ｈでは、インサート２７０の着座フランジカラー２７８−１は、バルブ２５０のライザ２５６内のバルブチャネル２５２−１の内径よりも小さい外径を有するように示され、着座フランジ２３８がインサート凹部２４２−３内に着座される場合、着座フランジカラー２７８−１は、バルブ２５０のライザ２５６内のバルブチャネル２５２−１内に配置される。いくつかの実施形態では、着座フランジカラー２７８−１と、ライザ２５６と、流体出口ボア２４０との間の嵌合は、水密シールを提供するように構成することができ、これにより、順行方向にバルブ２５０を通して軸線方向に向けられる任意の流体は、入口漏斗２７６の中に、および投与部材２８０の流体ボア２８２−１を通して通過しなければならない。図２Ｈおよび図２Ｉに示すように、いくつかの実施形態によれば、バルブフラップ２５２−２は、流体流の経路の中心に位置し、バルブフラップ２５２−２とインサート２７０の入口漏斗２７６との間に設けられた自由空間によって妨げられないことによって順行方向に自由に曲がることができるバルブ２５０の柔軟な部分を含むことができ、および／または入口漏斗２７６自体に移動することができる。
【００５０】
図２Ｊと図２Ｋを参照すると、ＢＦＳバイアル２１０とハブアセンブリ２２６との間の嵌合および／または封止が示されている。ＢＦＳバイアル２１０の第１のフランジ２１４は、例えば、ハブボア径２３２−１以上の外径および／または半径方向範囲を有し、即ち、ハブボア２３２内に流体密封シールを生成するように図示されている。第２のフランジ２１６および／または係止タブ２１８ａ〜ｂは、ハブ２３０内に着座するように、かつハブ本体２３２の側壁と係合するように径方向外向きに突出する特徴を有することによって、ハブ２３０に対するＢＦＳバイアル２１０の逆行軸方向移動を防止するように成形されるように図示されている。いくつかの実施形態では、図示されるように、係止タブ２１８ａ〜ｂおよびハブボア２３２の空間構成は、ＢＦＳバイアル２１０の第１の端部２１０−１を、バルブ２５０のバイアルフランジ２６０と接触させ、結合させ、および／またはそれに対して着座させ、これによって、それらの間に流体密封シールを生成することができる。いくつかの実施形態によれば、バルブ２５０は、バルブシート２４０−２とのシールを形成することができ、および／またはインサート２７０（および／またはその着座フランジ２３８）は、インサートシート２４４とのシールを形成することができる。いくつかの実施形態では、バルブフラップ２５２−１は、ＢＦＳバイアル２１０内への流体の任意の逆流を防止するように、ＢＦＳバイアル２１０の第１の端部２１０−１の上に位置付けられ、および／またはそれに対して付勢され得る。ＢＦＳバイアル２１０の第１の端部２１０−１は、例えば、バルブ２５０に対して位置付けられ、図２Ｋのバイアルフランジ２６０内に着座することができ、ＢＦＳバイアル２１０の方向におけるバルブフラップ２５２−２の逆行移動または軸方向変位を防止し、これによって、ＢＦＳバイアル２１０の第１の端部２１０−１内の任意の開口部が、任意の逆行力に応答して露出されることを防止する（一方で、バルブフラップ２５２−２は、少なくともバルブチャネル２５２−１内の任意の物体によって遮断されないことによって、順行方向に自由に屈曲または移動する）。いくつかの実施形態によるそのような構成は、図２Ｌに示されており、圧潰可能リザーバ２２０は、ヒンジ／フラップ付きバルブフラップ２５２−２の順行性変位を強制するそのような流体の流れによって、ＢＦＳバイアル２１０の第１の端部２１０−１を介して流体を提供することができるが、バルブフラップ２５２−２の逆行性変位を阻止または防止するＢＦＳバイアル２１０の第１の端部２１０−１の性質によって、逆行流は不可能であろう。
【００５１】
ここで、図２Ｍを参照すると、いくつかの実施形態による流体送達システム２００の一部の右側部分断面図が示されている。図２Ｍに示される実施形態は、例えば、投与される薬剤が複数の成分または物質で提供される場合を例示することができる。ＢＦＳバイアル２１０は、例えば、患者（図示せず）に送達されるべき薬剤を製剤化するために、脱水された、乾燥した、または固体の有効成分などの第２の成分または物質（やはり明示的に図示せず）に導入されるように動作可能である、不活性担体流体（例えば、生理食塩水）または希釈剤などの流体剤（例えば、第１の成分または物質、明示的に図示せず）を保持または、または充填することができる。ＢＦＳバイアル２１０は、ＢＦＳ製造押出プロセス中にＢＦＳバイアル２１０に導入される所定量の第１の成分または物質で、例えば、第１の成分または物質が無菌のままであること、および／または充填プロセス中の汚染の可能性を防止または最小化することを可能にする様式で、予め充填することができる。いくつかの実施形態によれば、ＢＦＳバイアル２１０（またはその第１の端部２１０−１）は、第１のフランジ２１４、第２のフランジ２１６、および／または係止タブ２１８ａ〜ｂが配置および／または形成されるネック２１２を備えることができる。いくつかの実施形態では、ＢＦＳバイアル２１０は、図示されるように、ネック２１２をハブ本体２３２に挿入することなどによって、ハブ２３０と嵌合または結合するように係合することができる。本明細書で説明されるようないくつかの実施形態によれば、アセンブリフランジ２３８は、ＢＦＳバイアル２１０をハブ２３０の中へ付勢するための軸方向てこ作用を提供するために利用することができる。いくつかの実施形態では、ハブ２３０は、ハブ２３０内のバルブ２５０に隣接して配置することができる流体出口ボア２４０を画定することができる。いくつかの実施形態によれば、バルブ２５０は、流体剤（または第１の成分もしくは物質）がＢＦＳバイアル２１０から流体出口ボア２４０内に順行方向に（例えば、本明細書に記載されるようにＢＦＳバイアル２１０を圧搾する際に）通過することができるバルブチャネル２５２−１を画定することができる。
【００５２】
いくつかの実施形態では、流体出口ボア２４０内に通された流体剤は、バルブ２５０のバルブフラップ２５２−２を介した逆行移動（例えば、ＢＦＳバイアル２１０内に戻る）を防止することができる。このようにして、例えば、流体剤は、流体出口ボア２４０内およびインサート２７０内に選択的に放出することができる。いくつかの実施形態によれば、インサート２７０は、投与部材２８０を収容するインサート本体２７２を備えることができる。そのような構成では、流体剤は、ＢＦＳバイアル２１０から順行方向に、バルブ２５０およびそのバルブチャネル２５２−１を通って、流体出口ボア２４０の中へ、インサート本体２７２の中へ、および投与部材２８０を通って（例えば、最終的には患者へ）移動することができる。いくつかの実施形態によれば、薬剤の第２の成分または物質は、薬剤の２つの成分間の相互作用を可能にするために、この流体経路に沿って配置することができる。いくつかの実施形態では、流体経路は、２つの構成要素の導入またはインターフェース接続を可能にし、指示し、および／または強化する複数の経路（図示せず）を備えることができる。いくつかの実施形態によれば、薬剤の３つ以上の成分を提供することができ、および／または各流体経路は、薬剤の異なる成分間の相互作用を可能にし、指示し、および／または増強してもよい。第１の流体経路は、例えば、薬剤の第１および第２の成分の導入を引き起こすことができ、第２の流体経路は、薬剤の第３および第４の成分の導入を引き起こすことができる。いくつかの実施形態では、これらの経路は、全ての薬剤成分を導入できるように（例えば、別個の多成分導入後に）合流することができる。
【００５３】
いくつかの実施形態によれば、流体送達システム２００（およびハブ２３０）は、基材２９０を備える、収容する、および／または保持することができる。基材２９０は、例えば、薬剤の有効成分（即ち、第２の成分またはその物質）、または有効成分を保持、担持、もしくは保持する物体を備えることができる。図２Ｍに示すように、基材２９０は、ハブ２３０の流体出口ボア２４０内に（例えば、製造プロセス中に）配置することができ、および／または例えば、流体剤と有効成分との相互作用を促進するために、螺旋形状に構成することができる。いくつかの実施形態では、基材２９０は、第２の成分または物質（例えば、有効成分）を含有するバッグ、パウチ、カプセル、紙ディスク、および／または錠剤などの不活性物体を含むことができる。第２の成分または物質は、例えば、粉末形態、乾燥形態、顆粒形態、脱水形態、凍結乾燥形態、低温乾燥形態、乾燥形態、粉末形態、および／または固体形態で配置することができ、そして基材２９０の中または上に保管することができる。いくつかの実施形態では、第２の成分または物質は、ピル、ケーキ、錠剤（例えば、環状錠剤）、微粉末、および／または通気形態などの固体および／または含気形状で配置されてもよい。いくつかの実施形態では、第２の成分または物質は、高分子糖、増粘剤と組み合わせるなどによって、他の物質（例えば、不活性および／または非反応性物質）と組み合わせるか、または混合することができる。いくつかの実施形態によれば、ハブ２３０は、基材２９０および／または有効成分を収容または保持することができる空隙、チャネル、突起、溝、トラック、ディフューザ、または他の特徴（図示せず）を含むかまたは画定することができる。いくつかの実施形態では、基材２９０は、有効成分とは別個の物体を含まなくてもよく、ハブ２３０（またはその流体出口ボア２４０）内の第２の成分または物質の廃棄を表すことができる。第２の成分または物質は、例えば、流体出口ボア２４０の内側表面上に、例えば、螺旋（例えば、旋条）パターン等の１つ以上のパターンで直接付着（例えば、印刷）されてもよい。いくつかの実施形態によれば、流体出口ボア２４０（またはその一部）の内面は、第２の成分または物質（または第２の成分または物質を含有または担持する混合物）でコーティングすることができる。いくつかの実施形態では、印刷または付着は、流体剤の流れに曝される第２の成分または物質の表面積を増加させる様式（例えば、隆起した十字パターン、隆起した旋条リッジ）で行うことができる。第２の成分または物質と流体剤（または他の第１の成分または物質）との間の接触表面積の増加は、例えば、第２の成分または物質の溶解を増加させ、および／または所望の溶解レベルに必要とされる時間を短縮することができる。有効成分の寸法、形状、厚さ、および／または用量についての種々の異なるパラメータは、異なるタイプの有効成分について選択することができ、パラメータ値は、特定の目標を満たすように選択される。このような目標の例としては、（ｉ）第２の成分または物質の表面積を最大化すること、（ｉｉ）溶解時間を最小化すること、（ｉｉｉ）溶解される第２の成分または物質の割合を最大化すること（例えば、特定の時間以内および／または特定の量もしくは種類の希釈剤が与えられる）、ならびに（ｉｖ）得られる薬剤の所望の濃度（例えば、濃度範囲の所望の曲線）を挙げることができる。例えば、いくつかの実施形態では、第２の成分または物質の量、パターンまたは構成は、第２の成分または物質（および／または有効成分）の９０パーセント（９０％）が、第１の成分または物質がＢＦＳバイアル２１０から流体出口ボア２４０に放出される５から６（５−６）秒以内に特定の第１の成分または物質（例えば、流体剤）に溶解するように設計することができる。
【００５４】
いくつかの実施形態では、第１の成分または物質および第２の成分または物質は、２つの別個の製造プロセスによって充填または製造することができ、および／または２つの別個の製品として包装および販売することができる。ＢＦＳバイアル２１０は、例えば、第１の施設における第１の製造プロセス中に、および／または第１の機械（例えば、ＢＦＳ機械、図示せず）によって、第１の成分または物質で充填することができ、一方、第２の成分または物質および／または基材２９０は、第２の施設における第２の製造プロセス中に、および／または第２の機械（例えば、有効成分印刷デバイス、図示せず）によって、ハブ２３０内に配置または付着してもよい。いくつかの実施形態によれば、ＢＦＳバイアル２１０およびハブ２３０（例えば、基材を収容する）は、別々に保管、輸送、および／または販売することができる。いくつかの実施形態では、ＢＦＳバイアル２１０およびハブ２３０は、一緒に、例えば、パックまたはセット（例えば、ブリスターパック）で製造および／または販売することができ、および／または部分的に予め組み立てることができる。いくつかの実施形態では、ＢＦＳバイアル２１０およびハブ２３０は、個別に封止されてもよく、またはパッケージ内で一緒に封止されてもよい。ＢＦＳバイアル２１０は、例えば、ＢＦＳ製造プロセス中に封止されてもよく、ハブ２３０（および／またはその流体出口ボア２４０）は、ハブ２３０の１つ以上の端部を閉鎖することによって基材２９０（および／または有効成分）を保護および／または隔離する（例えば、その流体経路を封止する）プラスチックまたは箔シール（図示せず）などによって別個に封止されてもよい。ハブ２３０および基材２９０は、例えば、清潔な環境で組み立てられ、その後、保護のために封止されてもよい。いくつかの実施形態では、ＢＦＳバイアル２１０およびハブ２３０は、事前に組み立てることができ、任意のシールは、例えば、システム２００がユーザによって起動され、患者に送達される薬剤を混合、再構成、および／または形成するまで、第１の成分または物質と第２の成分または物質との間の分離を維持する、内部動作シール（紙、箔、気泡）を備えることができる。
【００５５】
いくつかの実施形態によれば、ハブ２３０（および／またはバルブ２５０などのその構成要素）は、ＢＦＳバイアル２１０のシール（例えば、第１の端部２１０−１）を穿孔するための要素（明示的に図示せず）を備えることができる。突起、カッター、尖端、および／または他の突出部（例えば、プラスチックまたは金属性、図示せず）は、例えば、ハブ２３０内に配置することができ、そしてハブ本体２３２内のＢＦＳバイアル２１０の結合の際に、ＢＦＳバイアル２１０の第１の端部２１０−１と係合するように方向付けすることができる。要素は、ＢＦＳバイアル２１０の第１の端部２１０−１を貫通してもよく、例えば、その中に保管された流体剤が、バルブチャネル２５２−１および／または流体出口ボア２４０に流れこむことを可能にする（例えば、基材２９０および／またはその有効成分と係合および／または界面接触する）。いくつかの実施形態では、そのような穿孔要素は、ハブ本体２３２内でＢＦＳバイアル２１０が回転すると、例えば、その任意のシールの中に、またはそれを通して円周を穿孔または切断する、切断縁を備えることができる。いくつかの実施形態によれば、ＢＦＳバイアル２１０は、その第１の端部２１０−１上に配置された切断または貫通要素（図示せず）を備えることができ、これにより、ハブ２３０のシールと係合されたときに、ＢＦＳバイアル２１０がハブ本体２３２に入るおよび／または結合され得るように、シールを穿孔する、切断する、または別様に傷つけることができる。
【００５６】
ＢＦＳバイアル２１０内の第１の成分または物質は、概して、生理食塩水または他の流体剤等の不活性成分と称され、基材２９０のまたはその上の第２の成分または物質は、概して、薬剤の有効成分または原料と称されるが、いくつかの実施形態では、それらは、逆であってもよい。ＢＦＳバイアル２１０に保管された第１の成分または物質は、例えば、活性剤を含むことができ、基材２９０は、不活性成分（糖化合物など）であり得る第２の成分または物質を含むかまたは保持することができる。いくつかの実施形態によれば、第１の成分または物質および第２の成分または物質の両方は、例えば、導入または混合時に反応して薬剤を形成する有効成分を含むことができる。
【００５７】
図２Ｎを参照すると、いくつかの実施形態による流体送達システム２００で使用するための様々な基材２９０ａ〜ｃの上面図および側面図が示されている。基材２９０ａ〜ｃは、例えば、第２の成分または物質が付着、接着、注入、および／または他の方法で保持もしくは担持されるプラスチックおよび／または紙のインサートまたは構造を含むことができる。基材２９０ａ〜ｃは、第２の成分または物質の溶解および／または分散を促進するために、および／またはハブ２３０を通る流体剤の流れを方向付けるために、様々な様式で構成することができる。第１の基材２９０ａは、例えば、第１の軸方向流れプロファイル２９２ａ（例えば、軸方向に露出した表面領域）を画定する軸方向に細長い螺旋構造を含むことができる。いくつかの実施形態では、第１の基材２９０ａは、第１の基材２９０ａによって妨げられることも方向転換されることもなく、流体経路を通って軸方向に流れることを可能にする第１のチャネル２９４ａを備え、および／または画定することができる。いくつかの実施形態によれば、第２の基材２９０ｂは、第２の軸方向流れプロファイル２９２ｂを画定する軸方向に細長い螺旋構造を含むことができる。いくつかの実施形態では、第３の基材２９０ｃは、第３の軸方向流れプロファイル２９２ｃを画定するように互いに結合された軸方向に分散された１組の環状構造を含むことができる。第３の基材２９０ｃは、例えば、流体剤の一部が第３の基材２９０ｃを通って流れることを可能にする一方で、流体剤の他の部分がその第３の軸流プロファイル２９２ｃのうちの１つ以上と相互作用するように強制され得る、第２のチャネル２９４ｃを画定することができる。異なる基板２９０ａ〜ｃを利用して、基材２９０ａ〜ｃ上に配置または保持することができる、または既知または実行可能となる異なる物質に対して、異なる混合作用および／または溶解時間を誘導することができる。
【００５８】
いくつかの実施形態によれば、基材２９０ａ〜ｃは、第２の成分または物質がその上（および／またはその中に）付着または保持される、ハブ２３０に挿入された構造を含むことができる。いくつかの実施形態では、基板２９０ａ〜ｃは、第２の成分または物質を印刷材料として利用する付加製造によって形成された構造など、第２の成分または物質の付着されたインスタンスを含むことができる。第２の成分または物質は、例えば、糖化合物またはタンパク質などの構造促進剤と組み合わせて、基板２９０ａ〜ｃおよび／またはその一部のうちの１つまたは複数を画定するように所定のパターンで付着させることができる。本明細書で説明するように、いくつかの実施形態では、そのような付着または「印刷」は、ハブ２３０の１つまたは複数の内面（流体出口ボア２４０の内壁など）上で直接達成することができる。いくつかの実施形態によれば、基材２９０ａ〜ｃおよび／または第２の要素もしくは物質は、システム２００の様々な構成要素内に配置することができ、および／または様々な構成要素上に付着することができる。流体出口ボア２４０は、概して、第２の成分または物質のための場所として説明されるが、例えば、１つ以上の第２の成分または物質は、ハブ２３０の種々の他の部分内、インサート２７０内、投与部材２８０内、および／またはシステム２００の他の部分内に、であるか、または実行可能になるように配置することができる。
【００５９】
いくつかの実施形態では、所定の投与量または量の第２の成分または物質を含むおよび／または保持する基材２９０ａ〜ｃのうちの１つまたは複数は、製造プロセス中にハブ２３０に挿入または付着することができ、ＢＦＳバイアル２１０は、ＢＦＳ製造プロセス中に所定の投与量または量の第１の成分または物質で充填することができる。製造組立中に達成されようと現場で達成されようと、ＢＦＳバイアル２１０は、次いで、第１の成分または物質および第２の成分または物質の各々が流体経路および／または互いに露出されるように、ハブ２３０に結合することができる。したがって、いくつかの実施形態によれば、ユーザがハブ２３０および投与部材２８０を（例えば、針カバー（図示せず）上またはアセンブリフランジ２３８上、およびＢＦＳバイアル２１０上に「押し下げる」ことによって）作動させ、それにより、ＢＦＳバイアル２１０とハブ２３０との間のシール（図示せず）の穿刺を引き起こし、送達システム２００のアーミングを引き起こすことが想定される。次いで、ユーザは、必要に応じて注射部位を洗浄し、針カバーを取り外した後に注射カニューレを正しい身体位置に挿入し、ＢＦＳバイアル２１０をつまむことによってシステム２００を展開することができる。流体剤は、ハブ２３０を通って流れ、粉末（または他の形態の第２の物質）を溶解し、それを、投与部材２８０を通って患者の体内に放出する。これは、速溶性の粉末で良好に機能する。溶解が遅い製剤は、より長い「トラック」（例えば、ハブ２３０および／または投与部材２８０を通るより長いまたはより複雑な流体経路）を必要とする場合があり、即ち、溶解が起こることを確認するための相互作用、流れ、渦、乱流は、所望に応じて修正することができる。いくつかの実施形態では、粉末薬物の微粒子をハブ２３０の中に、および／または基材２９０ａ〜ｃの上もしくは中に噴霧乾燥または印刷することは、より速い溶解速度を促進する。ユーザ（例えば、薬剤が注射されている人、自己注射の場合には医療従事者または他の人）は、次いで、例えば、ＢＦＳバイアル２１０を圧搾し、それによって、第２の成分または物質（例えば、有効成分）の適切な投与量／用量を有するハブ２３０の中に第１の成分または物質を押し込み、即ち、流体剤がハブ２３０および／または第２の成分または物質を含有する流体出口ボア２４０を通って移動するときに薬剤が再構成されると、有効成分を含む薬剤が再構成されおよび適切な投与量の薬剤が投与部材２８０を介して患者の中に注射される。システム２００は、一般に、制御された様式で、そのような薬剤の送達を投与する際に専門的な技術を必要とすることなく、多成分薬剤を送達することができる。
【００６０】
活性物質（例えば、粉末形態のワクチンまたは薬物）がハブ２３０内に堆積および貯蔵され、不活性物質（例えば、希釈剤）がＢＦＳバイアル２１０内に保管される実施形態において、本明細書に記載されるモジュール式二成分送達システム２００は、現在の送達デバイスおよび方法の多くの欠点、特に公知の二室シリンジ機構の欠点を克服する。第１に、ＢＦＳバイアル２１０は、ユーザが流体の正確な投与量を測定することを必要とせずに、正確な投薬量および用量の流体を非常に高い公差まで保管および送達できるように構成される。さらに、流体は、ＢＦＳバイアル２１０内に数年間保管することができ、これは、数十年にわたる使用が証明されている。ＢＦＳ送達システムは、訓練をほとんど必要としないかまたは全く必要としないユーザ（例えば、自己注射の場合の患者、または訓練をほとんど必要としないかもしくは緊張した条件下で作業しており、したがってユーザエラーの影響を受けやすい医療専門家）による患者への薬物作用物質の所望のまたは推奨される単回用量を容易にするように構成される。本明細書に記載されるモジュール式二成分送達システム２００は、ユーザが希釈剤の正確な投与量を測定することを必要とせずに薬物作用物質の再構成を可能にし、ＢＦＳバイアル２１０から流体を絞り出す通常の行為は、ハブ２３０内に不活性流体物質を導入するための力または作用を提供し、即ち、ＢＦＳバイアル２１０を介して注射を投与するときにユーザが通常行うもの以外の、ユーザの側のいかなる追加の測定または作用も必要とせずに、基材２９０内または上に保管された（またはそうでなければハブ２３０内に配置された）活性物質の再構成を可能にする。今日のデュアルチャンバシリンジでは、薬物はガラスバイアル内に供給され、液体は針または他のデバイスを用いてバイアル内に添加され、完全に溶解するまで振盪される。従来技術のシステムの要件は、ユーザが、針を介して液体を吸い上げることによって、正確な量の液体を測定すること、液体を別の容器内に入れること、次いで、適切な量の粉末／薬物を溶解させるために、得られた混合物を適切な時間にわたって振盪することを含んでいる。これらのステップの各々は、本明細書に説明される実施形態に存在しないユーザエラーおよび汚染の潜在的なポイントを導入する。加えて、従来技術のデバイスは、製造がより複雑であり、通常は複数の部品、複数の組立プロセスを含み、無菌性を維持することが困難であり、適正製造基準（ＧＭＰ：Ｇｏｏｄ  Ｍａｎｕｆａｃｔｕｒｉｎｇ  Ｐｒａｃｔｉｃｅｓ）は、大きな面積のデッドスペースおよび大量の薬剤の廃棄を伴う。
【００６１】
いくつかの実施形態では、より少ないまたはより多い構成要素２１０、２１０−１、２１０−２、２１２、２１４、２１６、２１８ａ〜ｂ、２２０、２２２、２２６、２２８、２２８−１、２２８−２、２２８−３、２２８−４、２３０、２３２、２３２−１、２３２−２、２３２−３、２３４ａ〜ｂ、２３６、２３８、２４０、２４０−１、２４０−２、２４２、２４２−１、２４２−２、２４２−３、２４４、２５０、２５２、２５２−１、２５２−２、２５４ａ、２５６、２５８、２６０、２６２、２７０、２７２、２７２−１、２７２−２、２７４、２７６、２７８、２７８−１、２８０、２８２、２８２−１、２８２−２、２８２−３、２８４、２９０、２９０ａ〜ｃ、２９２、２９２ａ〜ｃ、２９４、２９４ａ、２９２ｃ、および／または図示された構成要素２１０、２１０−１、２１０−２、２１２、２１４、２１６、２１８ａ〜ｂ、２２０、２２２、２２６、２２８、２２８−１、２２８−２、２２８−３、２２８−４、２３０、２３２、２３２−１、２３２−２、２３２−３、２３４ａ〜ｂ、２３６、２３８、２４０、２４０−１、２４０−２、２４２、２４２−１、２４２−２、２４２−３、２４４、２５０、２５２、２５２−１、２５２−２、２５４ａ、２５６、２５８、２６０、２６２、２７０、２７２、２７２−１、２７２−２、２７４、２７６、２７８、２７８−１、２８０、２８２、２８２−１、２８２−２、２８２−３、２８４、２９０、２９０ａ〜ｃ、２９２、２９２ａ〜ｃ、２９４、２９４ａ、２９２ｃの様々な構成を、本明細書に記載された実施形態の範囲から逸脱することなく、流体送達システム２００に含むことができる。いくつかの実施形態では、構成要素２１０、２１０−１、２１０−２、２１２、２１４、２１６、２１８ａ〜ｂ、２２０、２２２、２２６、２２８、２２８−１、２２８−２、２２８−３、２２８−４、２３０、２３２、２３２−１、２３２−２、２３２−３、２３４ａ〜ｂ、２３６、２３８、２４０、２４０−１、２４０−２、２４２、２４２−１、２４２−２、２４２−３、２４４、２５０、２５２、２５２−１、２５２−２、２５４ａ、２５６、２５８、２６０、２６２、２７０、２７２、２７２−１、２７２−２、２７４、２７６、２７８、２７８−１、２８０、２８２、２８２−１、２８２−２、２８２−３、２８４、２９０、２９０ａ〜ｃ、２９２、２９２ａ〜ｃ、２９４、２９４ａ、２９２ｃは、構成および／または機能性において本明細書に記載されたものと同様の名称および／または番号の構成要素と類似することができる。いくつかの実施形態では、流体送達システム２００（および／またはその部分および／またはその構成要素２１０、２１０−１、２１０−２、２１２、２１４、２１６、２１８ａ〜ｂ、２２０、２２２、２２６、２２８、２２８−１、２２８−２、２２８−３、２２８−４、２３０、２３２、２３２−１、２３２−２、２３２−３、２３４ａ〜ｂ、２３６、２３８、２４０、２４０−１、２４０−２、２４２、２４２−１、２４２−２、２４２−３、２４４、２５０、２５２、２５２−１、２５２−２、２５４ａ、２５６、２５８、２６０、２６２、２７０、２７２、２７２−１、２７２−２、２７４、２７６、２７８、２７８−１、２８０、２８２、２８２−１、２８２−２、２８２−３、２８４、２９０、２９０ａ〜ｃ、２９２、２９２ａ〜ｃ、２９４、２９４ａ、２９２ｃ）は本件の図８および／または図９の方法８００、９００、および／またはその一部または組合せに従って利用することができる。
【００６２】
ここで、図３Ａ、図３Ｂ、図３Ｃ、図３Ｄ、図３Ｅ、図３Ｆ、図３Ｇ、および図３Ｈに目を向けると、いくつかの実施形態によるモジュール式ハブ３３０の右前斜視図、上断面図、下断面図、左断面図、右断面図、前断面図、後断面図、および前断面図が示されている。いくつかの実施形態では、モジュール式ハブ３３０は、本明細書に説明されるような流体送達システムのモジュール式構成要素を備えることができる。モジュール式ハブ３３０は、例えば、それを通るハブボア３３２−１を画定する円筒形ハブ本体３３２を備えることができ、ハブボア３３２−１は、内側ハブボア径３３２−２を有する。いくつかの実施形態によれば、モジュール式ハブ３３０は、ハブボア３３２−１の開口部に配置されたバイアルベベル３３２−３を備えることができ、および／またはハブ本体３３２の側面に配置された複数の係止スロット３３４ａ〜ｂを備えることができる。いくつかの実施形態では、モジュール式ハブ３３０は、ハブボア３３２−１の開口部に配置されたアセンブリフランジ３３６を備えることができ、および／またはハブ本体３３２の側面に配置された複数のバルブスロット３３８ａ〜ｂを備えることができる。
【００６３】
いくつかの実施形態によれば、モジュール式ハブ３３０は、内部流体出口ボア径３４０−１を有する流体出口ボア３４０を備えることができる。いくつかの実施形態では、バルブシート３４０−２は、ハブボア３３２−１内に、および／またはハブボア３３２−１と流体出口ボア３４０との間に形成または配置することができる。いくつかの実施形態では、モジュール式ハブ３３０は、内部インサートボア径３４２−１を有するインサートボア３４２を備えることができ、および／またはインサートベベル３４２−２および／またはインサート凹部３４２−３を備え、および／または画定することができる。いくつかの実施形態によれば、インサート凹部３４２−３は、インサートシート３４４を画定することができ、および／または、インサートボア３４２は、インサートシートを備えることができ、および／または、インサートシートを画定することができる。
【００６４】
いくつかの実施形態では、図３Ｃに最もよく見られるように、ハブボア３３２−１は、楕円形、正方形、長方形、三角形などの非円形断面、および／または図示すような「目」形状などの他の形状を含むことができる。このようにして、例えば、同様の形状のネック（図示せず）を有するＢＦＳバイアルのみが、ハブボア３３２−１に挿入することができ、および／または、その中に水密シールを形成するように正しく着座して挿入および着座させることができる。いくつかの実施形態によれば、ハブボア径３３２−２は、インサートボア径３４２−１と等しくすることができ、および／または流体出口ボア径３４０−１は、ハブボア径３３２−２およびインサートボア径３４２−１のいずれかまたは両方より小さくすることができる。いくつかの実施形態では、バルブシート３４０−２および／またはインサートシート３４４は、それぞれ、バルブおよびインサート（いずれも図示せず）を受け入れるように成形することができる。いくつかの実施形態によれば、バルブシート３４０−２は、ハブボア３２２−１に挿入されたバルブの一部がバルブシート３４０−２に着座および／またはシールし得る一方で、バルブシートの別の部分が各それぞれのバルブスロット３３８ａ〜ｂ内に突出する、および／またはそうでなければ各それぞれのバルブスロット３３８ａ〜ｂと係合されるように、バルブスロット３３８ａ〜ｂに軸線方向に隣接して位置付けすることができる。いくつかの実施形態によれば、バイアルベベル３３２−３およびインサートベベル３４２−２は、その中に軸線方向に挿入された物体に作用する円錐形状の部分であり得る。例えば、ハブボア径３３２−２を超える外径および／または半径方向の広がりを有する柔軟なおよび／または圧縮可能な物体（図示せず）が、ハブボア径３３２−１内に軸線方向に付勢される場合、バイアルベベル３３２−３は、半径方向内側に反対の力をそこに提供または及ぼし、物体を、例えば、バイアルベベル３３２−３の径が軸線方向挿入経路に沿って減少するにつれて、ますます圧縮、後退、および／または変形させることができる。いくつかの実施形態では、流体出口ボア３４０は、有効成分（図示せず：例えば、本件の図２Ｍおよび／または２Ｎの基材２９０）を含むおよび／または収容することができる。流体出口ボア３４０は、固体有効成分で裏打ちされてもよく、固体成分錠剤を収容することができ、および／または有効成分が輸送される（例えば、接着および／または含有される）不活性基材を収容することができる。いくつかの実施形態によれば、流体出口ボア３４０は、流体出口ボア３４０を通って流れる流体が溶解することができる固体物質を格納、収容、および／または保持する戻り止め、空隙、および／または隆起などの１つまたは複数の特徴（図示せず）を備えることができる。いくつかの実施形態では、流体出口ボア３４０の全長および／または内部流体出口ボア径３４０−１は、有効成分および／または関連する物質もしくは物体を収容するようにサイズ決定および／または構成することができる。
【００６５】
いくつかの実施形態によれば、より少ないまたはより多い構成要素３３２、３３２−１、３３２−２、３３２−３、３３４ａ〜ｂ、３３６、３３８、３４０、３４０−１、３４０−２、３４２、３４２−１、３４２−２、３４２−３、３４４、および／または図示される構成要素３３２、３３２−１、３３２−２、３３２−３、３３４ａ〜ｂ、３３６、３３８、３４０、３４０−１、３４０−２、３４２、３４２−１、３４２−２、３４２−３、３４４の様々な構成を、本明細書に記載された実施形態の範囲から逸脱することなく、モジュール式ハブ３３０に含むことができる。いくつかの実施形態では、構成要素３３２、３３２−１、３３２−２、３３２−３、３３４ａ〜ｂ、３３６、３３８、３４０、３４０−１、３４０−２、３４２、３４２−１、３４２−２、３４２−３、３４４は、構成および／または機能性において本明細書に記載されたものと同様の名称および／または番号の構成要素と類似することができる。いくつかの実施形態では、モジュール式ハブ３３０（および／またはその部分および／または構成要素３３２、３３２−１、３３２−２、３３２−３、３３４ａ〜ｂ、３３６、３３８、３４０、３４０−１、３４０−２、３４２、３４２−１、３４２−２、３４２−３、３４４）は、本件の図８および／または図９の方法８００、９００および／またはその一部または組合せに従って利用することができる。
【００６６】
ここで、図４Ａ、図４Ｂ、図４Ｃ、図４Ｄ、図４Ｅ、図４Ｆ、図４Ｇおよび図４Ｈを参照すると、いくつかの実施形態によるモジュラーバルブ４５０の右前斜視図、上断面図、下断面図、左断面図、右断面図、前断面図、後断面図、および前断面図が示されている。いくつかの実施形態では、モジュラーバルブ４５０は、本明細書に記載されるような流体送達システムのモジュール式構成要素を備えることができる。モジュラーバルブ４５０は、例えば、それを通るバルブチャネル４５２−１を画定する円筒形および／または環状形状のバルブ本体４５２を備えることができ、バルブチャネル４５２−１は、その中に配置されたバルブフラップ４５２−２を有し、および／またはバルブ本体４５２から半径方向に突出する１つ以上の取り付け翼４５４ａ〜ｂを有する。いくつかの実施形態によれば、モジュラーバルブ４５０は、バルブ本体４５２から軸方向に延びる円筒形ライザ４５６、および／またはライザ４５６の基部に形成された順行性空隙４５８を備えることができる。いくつかの実施形態では、モジュラーバルブ４５０は、バルブ本体４５２の軸方向に面する表面上に形成および／または配置されるバイアルフランジ４６０を備えることができ、および／またはバルブ本体４５２の反対側の軸方向に面する表面上に配置および／または形成される着座面４６２を備えることができる。
【００６７】
いくつかの実施形態によれば、バルブ本体４５２は、モジュール式ハブ部材（図示せず）のボア内に嵌合するように成形することができる。バルブ本体４５２は、例えば、略円筒形または円形に成形されてもよく、または図４Ａ、図４Ｂおよび図４Ｃに示されるように、「目」または「アーモンド」形状であってもよい。いくつかの実施形態では、バルブフラップ４５２−２は、バルブチャネル４５２−１の内部の円周の一部のみに沿って取り付けられた柔軟な材料の一部を含むことができ、それにより、バルブフラップは、軸方向の力がバルブフラップ隙間に加えられると選択的かつ一時的に軸方向に変位することができる。いくつかの実施形態では、バルブフラップ４５２−２を曲げるためにより大きな軸方向の力が必要となるように、および／またはバルブフラップ４５２−２が、バルブフラップ４５２−２をデフォルトまたは「閉」位置、例えば、モジュラーバルブ４５０の軸に対して垂直な位置に付勢またはバイアスする増大した自然のバネ効果を含むように、より剛性の高いゴムまたはプラスチック化合物を利用してバルブフラップ４５２−２を構築することができる。
【００６８】
いくつかの実施形態では、本明細書に記載の実施形態の範囲から逸脱することなく、より少ないまたはより多い構成要素４５２、４５２−１、４５２−２、４５４ａ〜ｂ、４５６、４５８、４６０、４６２、および／または図示の構成要素４５２、４５２−１、４５２−２、４５４ａ〜ｂ、４５６、４５８、４６０、４６２、の様々な構成をモジュラーバルブ４５０に含むことができる。いくつかの実施形態では、構成要素４５２、４５２−１、４５２−２、４５４ａ〜ｂ、４５６、４５８、４６０、４６２、は構成および／または機能性において本明細書に記載されたものと同様の名称および／または番号の構成要素と類似することができる。いくつかの実施形態では、モジュラーバルブ４５０（および／またはその部分および／または構成要素４５２、４５２−１、４５２−２、４５４ａ〜ｂ、４５６、４５８、４６０、４６２）は、本件の図８および／または図９の方法８００、９００および／またはその一部または組合せに従って利用することができる。
【００６９】
ここで、図５Ａ、図５Ｂ、図５Ｃ、図５Ｄ、図５Ｅ、図５Ｆ、図５Ｇおよび図５Ｈを参照すると、いくつかの実施形態によるモジュール式インサート５７０の右前斜視図、上断面図、下断面図、左断面図、右断面図、前断面図、後断面図、および前断面図が示されている。いくつかの実施形態では、モジュラーインサート５７０は、本明細書に記載されるような流体送達システムのモジュール式構成要素を備えることができる。モジュラーインサート５７０は、例えば、それを通る流体チャネル５７２−１を画定し、その対向する端部に配置された出口漏斗５７４および／または入口漏斗５７６を有する、円筒形状のインサート本体５７２を備えることができる。いくつかの実施形態によれば、出口漏斗５７４は、本明細書に記載されるような様々な所望の流体送達用途のために（例えば、異なるゲージの針、ノズル、および／または他の送達方法もしくは用途の受け入れのため）構成された内径５７４−１を備えることができる。いくつかの実施形態では、モジュラーインサート５７０は、着座フランジ５７８および／または着座フランジカラー５７８−１を備えることができる。図示のように、着座フランジカラー５７８−１は、入口漏斗５７６を収容および／または画定することができる。いくつかの実施形態によれば、着座フランジ５７８は、着座フランジ５７８の直径よりも小さい直径を有するボア（図示せず）内への着座フランジ５７８の挿入を容易にするように、その半径方向範囲において丸くすることができる。
【００７０】
いくつかの実施形態では、本明細書に記載の実施形態の範囲から逸脱することなく、本明細書に記載より多い構成要素５７２、５７２−１、５７２−２、５７４、５７４−１、５７６、５７８、５７８−１、および／または図示の構成要素５７２、５７２−１、５７２−２、５７４、５７４−１、５７６、５７８、５７８−１の様々な構成をモジュール式インサート５７０に含めることができる。いくつかの実施形態では、構成要素５７２、５７２−１、５７２−２、５７４、５７４−１、５７６、５７８、５７８−１は、構成および／または機能性において本明細書に記載されたものと同様の名称および／または番号の構成要素と類似することができる。いくつかの実施形態では、モジュラーインサート５７０（および／またはその部分および／または構成要素５７２、５７２−１、５７２−２、５７４、５７４−１、５７６、５７８、５７８−１）は、本件の図８および／または図９の方法８００、９００および／またはその一部または組合せに従って利用することができる。
【００７１】
ここで、図６Ａ、図６Ｂ、図６Ｃ、図６Ｄ、図６Ｅ、図６Ｆ、図６Ｇを参照すると、いくつかの実施形態によるモジュール式ＢＦＳバイアル６１０の右前方斜視図、上面図、底面図、左側面図、右側面図、正面図、および図が示されている。ＢＦＳバイアル６１０は、例えば、一方の端部に底部６１０−２を備え、その反対側の端部にネック６１２、遠位または第１のフランジ６１４、近位または第２のフランジ６１６、および／または複数の指標付けまたは結合要素６１８ａ〜ｂを備える、概してフラスコ形状の要素を備えることができる。第１のフランジ６１４、第２のフランジ６１６、および／または結合要素６１８ａ〜ｂは、いくつかの実施形態では、本明細書で説明されるように、流体送達のためにハブアセンブリ（図示せず）と嵌合および／または結合するように動作することができる。いくつかの実施形態では、モジュール式ＢＦＳバイアル６１０は、底部６１０−２とネック６１２との間に配置されたフラスコ形状の流体リザーバ６２０、および／または底部６１０−２に隣接しておよび／または底部に配置された圧縮脚部６２２を備えることができる。
【００７２】
いくつかの実施形態によれば、フラスコ形状の流体リザーバ６２０は、圧縮脚部６２２をネック６１２に向かって付勢する軸方向の力を加えることなどによって、その中に保管された任意の流体（例えば、不活性希釈剤または薬剤の有効成分）を放出するために軸方向に圧縮および／または圧潰することができる。いくつかの実施形態では、フラスコ形状の流体リザーバ６２０は、ユーザが２本以上の指（図示せず）をフラスコ形状の流体リザーバ６２０の上部に置き、その親指（同様に図示せず）が底部６１０−２の圧縮脚部６２２の下に配置されることによって、ユーザ（図示せず）が容易に操作できるようになり、有利に人間工学的にすることができる。指を親指に向かって圧縮する圧搾運動は、次いで、いくつかの実施形態では、フラスコ形状流体リザーバ６２０を圧縮および／または変形させ、その結果、略ディスク形状の圧潰された外観を達成し、即ち、その中に以前に保管されたほぼ全ての流体を放出することによって、フラスコ形状流体リザーバ６２０の容積をほぼゼロに低減することができる。
【００７３】
いくつかの実施形態では、本明細書に記載の実施形態の範囲から逸脱することなく、より少ないまたはより多い構成要素６１０−２、６１２、６１４、６１６、６１８ａ〜ｂ、６２０、６２２、および／または図示の構成要素６１０−２、６１２、６１４、６１６、６１８ａ〜ｂ、６２０、６２２の様々な構成をモジュール式ＢＦＳバイアル６１０に含めることができる。いくつかの実施形態では、構成要素６１０−２、６１２、６１４、６１６、６１８ａ〜ｂ、６２０、６２２は、構成および／または機能性において本明細書に記載されたものと同様の名称および／または番号の構成要素と類似することができる。いくつかの実施形態では、モジュール式ＢＦＳバイアル６１０（および／またはその部分および／または構成要素６１０−２、６１２、６１４、６１６、６１８ａ〜ｂ、６２０、６２２）は、本件の図８および／または図９の方法８００、９００、および／またはその一部または組合せに従って利用することができる。
【００７４】
ここで、図７Ａ、図７Ｂ、図７Ｃ、図７Ｄ、図７Ｅ、図７Ｆおよび図７Ｇを参照すると、いくつかの実施形態によるモジュール式ＢＦＳバイアル７１０の右前方斜視図、上面図、底面図、左側面図、右側面図、正面図、および図が示されている。ＢＦＳバイアル７１０は、例えば、上部または出口７１０−１および底部７１０−２を含むアコーディオンまたは「コンサーティーナ」形状の要素を備えることができる。いくつかの実施形態では、ＢＦＳバイアル７１０は、ネック７１２、遠位または第１のフランジ７１４、近位または第２のフランジ７１６、および／または複数のインデックス要素または結合要素７１８ａ〜ｂを（例えば、出口７１０−１に、または出口に隣接して）備えることができる。第１のフランジ７１４、第２のフランジ７１６、および／または結合要素７１８ａ〜ｂは、いくつかの実施形態では、本明細書で説明されるように、流体送達のためにハブアセンブリ（図示せず）と嵌合および／または結合するように動作可能であり得る。いくつかの実施形態では、モジュール式ＢＦＳバイアル７１０は、上部７１０−１と底部７１０−２との間に配置された「コンサーティーナ」形状の流体リザーバ７２０ａ〜ｂ、および／または底部７１０−２に隣接しておよび／または底部に配置された圧縮脚７２２を備えることができる。いくつかの実施形態では、「コンサーティーナ」形状の流体リザーバ７２０ａ〜ｂは、それらの間に形成および／または接合された、上側または第１のローブ７２０ａおよび下側または第２のローブ７２０ｂなどの複数のセグメント、容積、および／またはローブを備える、および／または画定することができる。いくつかの実施形態では、より少ないまたはより多いローブ７２０ａ〜ｂを利用することができる。
【００７５】
いくつかの実施形態によれば、ローブ７２０ａ〜ｂは、圧縮脚７２２をネック７１２および／または上部７１０−１に向かって付勢する軸方向の力を加えることなどによって、その中に保管された任意の流体を排出するために、軸方向に圧縮および／または圧潰することができる。いくつかの実施形態では、ローブ７２０ａ〜ｂは、ユーザ（図示せず）が２本以上の指（図示せず）を第１のローブ７２０ａの上部の上に置き、親指（また図示せず）が底部７１０−２部で圧縮脚７２２の下に配置されることによって、ユーザ（図示せず）が容易に操作できるようにすることによって、有利に人間工学的にすることができる。指を親指に向かって圧縮する圧搾運動は、次いで、いくつかの実施形態では、ローブ７２０ａ〜ｂのそれぞれを圧縮および／または変形させ、その結果、それらはそれぞれ、ほぼディスク形状の圧潰外観を達成し、即ち、その中に以前に保管されたほぼ全ての流体を放出することによって、「コンサーティーナ」形状流体リザーバ７２０ａ〜ｂの容積をほぼゼロに低減することができる。
【００７６】
いくつかの実施形態では、本明細書に記載の実施形態の範囲から逸脱することなく、より少ないまたはより多い構成要素７１０−１、７１０−２、７１２、７１４、７１６、７１８ａ〜ｂ、７２０ａ〜ｂ、７２２および／または図示の構成要素７１０−１、７１０−２、７１２、７１４、７１６、７１８ａ〜ｂ、７２０ａ〜ｂ、７２２の様々な構成をモジュール式ＢＦＳバイアル７１０に含めることができる。いくつかの実施形態では、構成要素７１０−１、７１０−２、７１２、７１４、７１６、７１８ａ〜ｂ、７２０ａ〜ｂ、７２２は、構成および／または機能性において本明細書に記載されたものと同様の名称および／または番号の構成要素と類似することができる。いくつかの実施形態では、モジュール式ＢＦＳバイアル７１０（および／またはその部分および／または構成要素７１０−１、７１０−２、７１２、７１４、７１６、７１８ａ〜ｂ、７２０ａ〜ｂ、７２２）は、本件の図８および／または図９の方法８００、９００および／またはその一部または組合せに従って利用することができる。
【００７７】
ＩＩＩ．薬剤送達方法
図８はいくつかの実施形態によるメソッド８００の斜視フロー図である。方法８００は、例えば、本明細書に記載されるような様々な薬剤送達システムおよび／またはその構成要素の例示的な使用を示すことができる。本明細書で説明されるプロセス図およびフロー図は、必ずしも、任意の示された行為、工程、および／または手順に対する固定された順序を暗示すものではなく、実施形態は、一般に、別段断りのない限り、実行可能な任意の順序で実行され得る。本明細書で説明する行為、工程、および／または手順の順序は一般に固定されないが、いくつかの実施形態では、行為、工程、および／または手順は、列挙され、図示され、および／または説明された順序で具体的に実行され得、および／または任意の前に列挙され、図示され、および／または説明された行為、工程、および／または手順に応答して実行され得る。
【００７８】
いくつかの実施形態では、図８に示されるように、薬剤送達システムは、８０１において、ＢＦＳバイアル８０２のパック、および対応する数の完全に組み立てられた送達アセンブリ８２６（例えば、安全カバー８２８を有する、および／またはその中に配置された固体もしくは乾燥有効成分を含む）を備えることができる。ユーザは、次いで、いくつかの実施形態によれば、８０３において、単回用量の流体剤を送達する準備ができたときに、バイアル８１０のうちの１つをパック８０２から簡単に引き離すことができる。いくつかの実施形態では、ユーザは、次いで、８０５において、例えば、バイアル８１０が送達アセンブリ８２６内の定位置にスナップ留め、クリック留め、および／または係止するまで、それらを一緒に（例えば、軸方向に）押圧することによって、除去されたバイアル８１０を送達アセンブリ８２６のうちの１つに取り付けることができる。いくつかの実施形態では、バイアル８１０のうちの１つと送達アセンブリ８２６との嵌合または結合は、１つ以上のシールの穿孔または除去を引き起こし得る。有効成分が送達アセンブリ８２６内に保管される場合、例えば、バイアル８１０の挿入は、シールを破壊または除去し得る。同様に、送達アセンブリ８２６は、バイアル８１０のシール（またはその一部）を穿孔して、その中に保管された流体を露出させる要素を備えることができる。いくつかの実施形態では、ユーザは、結合されたバイアル８１０および送達アセンブリ８２６を振って、送達アセンブリ８２６内の有効成分とともにバイアル８１０から流体を導入してもよい（またはその逆も同様である）。いくつかの実施形態によれば、ユーザは、次いで、８０７において、組み合わされたバイアル８１０および送達アセンブリ８２６から安全カバー８２８を取り外し、それによって針８８０（または他の適切な投与部材）を露出させることができる。いくつかの実施形態では、ユーザは次いで、８０９において、流体剤を投与することができる（自己投与または別の人への投与のいずれかに）。完了すると、安全カバー８２８を送達アセンブリ８２６上に戻すことができ、８１１において、内容物を適切なバイオハザード廃棄物容器内に廃棄することができる。
【００７９】
送達アセンブリ８２６は、概して、薬剤を投与するための特別な訓練を必要とすることなく、比較的簡単な様式で薬剤を患者に送達できるように構成される。いくつかの実施形態では、送達アセンブリ８２８は、流体剤を投与する人（例えば、管理者）（これはまた、自己投与を含み得る）が、投与部位（例えば、肩、腕、胸、鼻、耳、目など）上にデバイスを配置することのみを必要とし、次いで、流体剤の投与量を含むＢＦＳバイアル８１０（および／またはその流体リザーバ）を完全に圧縮し、それによって、正確な所定の投薬量を患者に送達できるように設計される。送達アセンブリ８２６はさらに、針８８０が必要とされる場合（即ち、送達方法が注射であるため）、針貫通が投与部位内の正しい長さと向きに限定されるように構成することができる。例えば、いくつかの実施形態では、針８８０は、針８８０が略垂直な角度で患者の皮膚に挿入されるように構成され、インサートの遠位端が患者の皮膚に接触して流体剤の注射のための適切な浸透深さを示すように構成されるように、インサートの遠位端が位置する平面に対して略垂直に配置される。
【００８０】
したがって、送達アセンブリ８２６は、ワクチンまたは薬物の投与のために、訓練された、熟練した医療専門家を必要としなくてもよい。したがって、送達アセンブリ８２６は、ワクチンまたは薬物が非医療関連施設（例えば、診療所または病院の外）で投与され、非専門家によって短期間にわたって多数の個人に与えられる状況において特に有用であり得る。
【００８１】
ここで、図９を参照すると、いくつかの実施形態による方法９００のフロー図が示されている。方法９００は、例えば、９０２において、ＢＦＳバイアルをＢＦＳマニホールドから分離することを含むことができる。ユーザは、個々のバイアルを把持し、それを捻るかまたは曲げて、例えば、１つ以上の事前に構成された破損または接合点において、それをＢＦＳマニホールドから分離することができる。いくつかの実施形態によれば、方法９００は、９０４において、ＢＦＳバイアルを送達ハブに結合することを含むことができる。結合は、例えば、ＢＦＳバイアルに一体化された係合要素がアセンブリハブの適切に割り出された保持機構にクリックまたはスナップ嵌めされるまで、ＢＦＳバイアルを（例えば、本明細書に記載されるような）モジュール式アセンブリハブのボア内に軸方向に付勢する軸方向の力を（例えば、ＢＦＳバイアルのグリッププレートおよびアセンブリハブのアセンブリフランジを介して）加えることを含むことができる。いくつかの実施形態によれば、１つ以上のシールは、結合中または結合前に除去または破壊することができ、および／または結合されたアセンブリは、その異なる構成要素内に別個に保管された成分を混合するために振盪することができる。いくつかの実施形態では、方法９００は、９０６において、安全キャップを取り外すことを含むことができる。軸方向の力を加えて、キャップをアセンブリハブから分離し、例えば、針、ノズル、点滴器などの投与部材を露出させることができる。いくつかの実施形態によれば、方法９００は、９０８において、ある投与量の流体（例えば、流体剤またはキャリア流体もしくは希釈剤中に再構成もしくは溶解された有効成分を含む薬剤）を投与することを含むことができる。アセンブリハブの投与要素は、例えば、患者と係合することができ、ＢＦＳバイアルの圧潰可能で一体型リザーバは、そこから流体を押し出す（および／または別個に保管された有効成分の混合もしくは溶解を引き起こす）ように、圧搾することができる（例えば、半径方向内向きの力を加えることによって）。いくつかの実施形態によれば、流体は、一方向バルブのバルブフラップを変位させ、それによって流体が投与要素内に軸方向に進み、患者に送達されることを可能にするように、順行軸方向に押し込まれ得る。いくつかの実施形態では、方法９００は、９１０において、安全キャップを交換することを含むことができる。いくつかの実施形態によれば、方法９００は、９１２において、送達システムを廃棄することを含むことができる。このようにして、例えば、熟練していないユーザが投与および／または自己投与することを可能にする、低コストで、容易に輸送され、より容易に保管される流体送達システムが提供され得る。
【００８２】
ＩＶ．追加の実施形態
図１０は異なる送達方法（例えば、筋肉内注射、皮下注射、静脈内注射、および皮内注射）のために構成されたモジュール式送達またはハブアセンブリ１０２６ａ〜ｄの斜視図を示す。いくつかの実施形態では、各モジュール式ハブアセンブリ１０２６ａ〜ｄは、それぞれのモジュール式ハブ要素１０３０ａ〜ｄ（例えば、乾燥または固体有効成分を収容または含有することができる）、モジュラーバルブ要素１０５０ａ〜ｄ、モジュラーインサート要素１０７０ａ〜ｄ、および／またはモジュール式針（または他の投与）要素１０８０ａ〜ｄを備えることができる。図１０に示すように、様々なそれぞれの針要素１０８０ａ〜ｄは、異なる送達／投与要件のために構成することができる。例えば、針要素１０８０ａ〜ｄは、約１．５ミリメートル（１．５ｍｍ）〜２５ミリメートル（２５ｍｍ）の範囲の様々な長さを有することができ、例えば、第１の針要素１０８０ａが最も長く、第２の針要素１０８０ｂが第１の針要素１０８０ａより短く、第３の針要素１０８０ｃが第２の針要素１０８０ｂより短く、および／または第４の針要素１０８０ｄが第３の針要素１０８０ｃより短い。いくつかの実施形態によれば、針要素１０８０ａ〜ｄの長さは、２分の１ミリメートル（０．５ｍｍ）〜５０ミリメートル（５０ｍｍ）の範囲であり得る。いくつかの実施形態では、様々なハブアセンブリ１０２６ａ〜ｄ間の唯一の構造上の違いは、針要素１０８０ａ〜ｄの長さ（および／または厚さ）であり得る。他のモジュール式構成要素１０３０ａ〜ｄ、１０５０ａ〜ｄ、１０７０ａ〜ｄの各々は、例えば、同一であり得る。したがって、送達アセンブリ１０２６ａ〜ｄのモジュラー構造は、特定の必要性（即ち、皮下、筋肉内、皮内、静脈内注射、スプレー、または液滴送達など、送達される薬剤に応じた異なる送達モード）を満たす新しい送達アセンブリ構成を作成するために、最小限のコストで１つまたは複数の構成要素の迅速な製造再構成を可能にすることができる。例えば、モジュール式ハブ要素１０３０ａ〜ｄおよびモジュラーバルブ要素１０５０ａ〜ｄは、同じ構造（寸法および材料）のままであり得るが、一方、モジュラーインサート要素１０７０ａ〜ｄは、送達のタイプおよび／または送達される流体剤のタイプに応じて、異なるサイズの針要素１０８０ａ〜ｄおよび／またはノズルタイプを考慮するように変更することができる。
【００８３】
Ｖ．解釈のルール
本明細書の説明全体を通して、別段の指定がない限り、以下の用語は、提供される例示的な意味を含み、かつ／または包含することができる。これらの用語および例示的な意味は、本明細書および添付の特許請求の範囲の両方において実施形態を説明するために選択された言語を明確にするために提供され、即ち、一般的に限定することを意図するものではない。一般的に限定するものではなく、記載される全ての実施形態を限定するものではないが、いくつかの実施形態では、用語は、提供される例示的な定義および／または例に具体的に限定される。他の用語は、本明細書を通して定義されている。
【００８４】
多数の実施形態が本特許出願に記載されており、例示目的のためにのみ提示されている。記載された実施形態は、いかなる意味においても限定するものではなく、限定することを意図するものでもない。本開示から容易に明らかであるように、本開示の発明は、多くの実施形態に広く適用可能である。当業者は、開示された発明が、構造的、論理的、ソフトウェア的、および電気的な修正などの様々な変更および改変とともに実施され得ることを認識するであろう。開示された発明の特定の特徴は、１つ以上の特定の実施形態および／または図面を参照して説明され得るが、そのような特徴は、明示的に別段の定めがない限り、それらが説明される１つ以上の特定の実施形態または図面における使用に限定されないことを理解されたい。
【００８５】
互いに通信しているデバイスは、特に明記しない限り、互いに連続的に通信している必要はない。
【００８６】
いくつかの構成要素または特徴を有する実施形態の説明は、そのような構成要素および／または特徴の全てまたはいずれかが必要であることを意味するものではない。それどころか、本発明の多種多様な可能な実施形態を例示すために、様々な任意の構成要素が説明されている。明示的に別段の定めがない限り、構成要素および／または特徴は必須または必要ではない。
【００８７】
さらに、プロセスステップ、アルゴリズムなどは、順序で説明され得るが、そのようなプロセスは、異なる順番で動作するように構成され得る。言い換えれば、明示的に説明され得るステップの任意の順序または順番は、ステップがその順番で実行されるという要件を必ずしも示しているものではない。本明細書に記載されるプロセスのステップは、実用的な任意の順番で実行され得る。さらに、いくつかのステップは、（例えば、一方のステップが他方のステップの後に説明されるので）非同時に生じるものとして説明または暗示されるにもかかわらず、同時に実行され得る。さらに、図面におけるその描画によるプロセスの例示は、例示されたプロセスが他の変形および変更を排除することを意味するものではなく、例示されたプロセスまたはそのステップのいずれかが本発明に必要であることを意味するものではなく、例示されたプロセスが好ましいことを意味するものではない。
【００８８】
本開示は、当業者に、いくつかの実施形態および／または発明の有効な説明を提供する。これらの実施形態および／または発明のいくつかは、本出願において特許請求されなくてもよいが、それにもかかわらず、本出願の優先権の利益を主張する１つまたは複数の継続出願において特許請求されてもよい。出願人は、本出願において開示され、有効にされているが、特許請求されていない主題の特許を追求するために追加の出願を提出する意向がある。
【００８９】
本開示の範囲から逸脱することなく、本開示の実施形態に対して様々な変更を行うことができることが理解されるであろう。したがって、上記の説明は、本開示を限定するものとして解釈されるべきではなく、単にその実施形態として解釈されるべきである。当業者は、本明細書に添付される特許請求の範囲によって定義される本発明の範囲内で他の変更を想定するであろう。
【００９０】
本開示のいくつかの実施形態が本明細書で説明および図示されたが、当業者は、本明細書で説明された機能を実行し、および／または結果および／または利点のうちの１つまたは複数を取得するための様々な他の手段および／または構造を容易に想定し、そのような変形および／または変更の各々は、本開示の範囲内にあると見なされる。より一般的には、当業者は、本明細書に記載される全てのパラメータ、寸法、材料、および構成が例示的であることを意味し、実際のパラメータ、寸法、材料、および／または構成が、本開示の教示が使用される特定の用途に依存することを容易に理解するであろう。
【００９１】
当業者は、本明細書に記載される本開示の特定の実施形態に対する多くの等価物を認識するか、または日常的な実験のみを使用して確認することができる。したがって、前述の実施形態は、例としてのみ提示され、添付の特許請求の範囲およびその等価物の範囲内で、本開示は、具体的に記載および請求されている以外の方法で実施できることを理解されたい。本開示は、本明細書に記載の個々の特徴、システム、物品、材料、キット、および／または方法を対象とする。加えて、２つ以上のそのような特徴、システム、物品、材料、キット、および／または方法の任意の組合せは、そのような特徴、システム、物品、材料、キット、および／または方法が相互に矛盾しない場合、本開示の範囲内に含まれる。
【００９２】
本明細書で定義および使用される全ての定義は、辞書の定義、参照により組み込まれる文書における定義、および／または定義された用語の通常の意味を制御するように理解されるべきである。
【００９３】
本明細書および特許請求の範囲において使用される不定冠詞「ａ」および「ａｎ」は、反対のことが明確に示されない限り、「少なくとも１つ」を意味すると理解されるべきである。
【００９４】
本明細書および特許請求の範囲で使用される「および／または」という語句は、そのように結合された要素、即ち、ある場合には結合的に存在し、他の場合には分離的に存在する要素の「いずれかまたは両方」を意味すると理解されるべきである。反対のことが明確に示されない限り、「および／または」節によって具体的に特定された要素以外の他の要素が、具体的に特定されたそれらの要素に関連するかしないかにかかわらず、任意選択で存在し得る。
【００９５】
本明細書全体を通して、「一実施形態」または「実施形態」への言及は、実施形態に関連して説明される特定の特徴、構造、または特性が、少なくとも一実施形態に含まれることを意味する。したがって、本明細書全体を通して様々な場所に「一実施形態では」または「ある実施形態では」という語句が現れることは、必ずしも全てが同じ実施形態を指すとは限らない。さらに、特定の特徴、構造、または特性は、１つまたは複数の実施形態において任意の適切な方法で組み合わせることができる。
【００９６】
本明細書で使用された用語および表現は、限定ではなく説明の用語として使用され、そのような用語および表現の使用において、示され説明された特徴（またはその部分）の任意の等価物を除外する意図はなく、様々な変更が特許請求の範囲内で可能であることが認識される。したがって、特許請求の範囲は、全てのそのような等価物を包含することを意図している。
【００９７】
本明細書に示され、記載されるものに加えて、本発明の様々な変更およびその多くのさらなる実施形態は、本明細書に引用された科学文献および特許文献への参照を含む、本明細書の全内容から当業者に明らかになるであろう。本明細書の主題は、本発明の様々な実施形態およびその等価物における本発明の実施に適合させることができる重要な情報、例示および指針を含む。
【図１Ａ】
2021527535.tif 000003
【図１Ｂ】
2021527535.tif 000004
【図２Ａ】
2021527535.tif 000005
【図２Ｂ】
2021527535.tif 000006
【図２Ｃ】
2021527535.tif 000007
【図２Ｄ】
2021527535.tif 000008
【図２Ｅ】
2021527535.tif 000009
【図２Ｆ】
2021527535.tif 000010
【図２Ｇ】
2021527535.tif 000011
【図２Ｈ】
2021527535.tif 000012
【図２Ｉ】
2021527535.tif 000013
【図２Ｊ】
2021527535.tif 000014
【図２Ｋ】
2021527535.tif 000015
【図２Ｌ】
2021527535.tif 000016
【図２Ｍ】
2021527535.tif 000017
【図２Ｎ】
2021527535.tif 000018
【図３Ａ】
2021527535.tif 000019
【図３Ｂ】
2021527535.tif 000020
【図３Ｃ】
2021527535.tif 000021
【図３Ｄ】
2021527535.tif 000022
【図３Ｅ】
2021527535.tif 000023
【図３Ｆ】
2021527535.tif 000024
【図３Ｇ】
2021527535.tif 000025
【図３Ｈ】
2021527535.tif 000026
【図４Ａ】
2021527535.tif 000027
【図４Ｂ】
2021527535.tif 000028
【図４Ｃ】
2021527535.tif 000029
【図４Ｄ】
2021527535.tif 000030
【図４Ｅ】
2021527535.tif 000031
【図４Ｆ】
2021527535.tif 000032
【図４Ｇ】
2021527535.tif 000033
【図４Ｈ】
2021527535.tif 000034
【図５Ａ】
2021527535.tif 000035
【図５Ｂ】
2021527535.tif 000036
【図５Ｃ】
2021527535.tif 000037
【図５Ｄ】
2021527535.tif 000038
【図５Ｅ】
2021527535.tif 000039
【図５Ｆ】
2021527535.tif 000040
【図５Ｇ】
2021527535.tif 000041
【図５Ｈ】
2021527535.tif 000042
【図６Ａ】
2021527535.tif 000043
【図６Ｂ】
2021527535.tif 000044
【図６Ｃ】
2021527535.tif 000045
【図６Ｄ】
2021527535.tif 000046
【図６Ｅ】
2021527535.tif 000047
【図６Ｆ】
2021527535.tif 000048
【図６Ｇ】
2021527535.tif 000049
【図７Ａ】
2021527535.tif 000050
【図７Ｂ】
2021527535.tif 000051
【図７Ｃ】
2021527535.tif 000052
【図７Ｄ】
2021527535.tif 000053
【図７Ｅ】
2021527535.tif 000054
【図７Ｆ】
2021527535.tif 000055
【図７Ｇ】
2021527535.tif 000056
【図８】
2021527535.tif 000057
【図９】
2021527535.tif 000058
【図１０】
2021527535.tif 000059
【国際調査報告】
2021527535.tif 000060